(57)【特許請求の範囲】
【請求項１】
下記の要件（Ａ01）〜（Ａ06），（Ｂ08′），（Ｂ010′）を備えたことを特徴とする画像形成装置、
（Ａ01）前記画像形成装置本体に対して挿入された挿入位置と画像形成装置本体から外部に引き出された引出し位置との間で出入可能に支持されたスライドフレームであって、トナー像が形成される像担持ベルトを有するベルトモジュールをベルト使用位置およびベルトメンテナンス位置の間で移動可能に支持する前記スライドフレーム、
（Ａ02）前記ベルト使用位置に移動したときにトナー像が形成されるとともに、前記像担持ベルトにトナー像を形成する部材から前記像担持ベルトを離間させるために前記ベルト使用位置から前記像担持ベルトを離間させる方向に一定量移動した前記ベルトメンテナンス位置に移動したときに他の部材と干渉することなく前記画像形成装置本体に対して出入可能となる像担持ベルトと、ベルト駆動ロールおよびバックアップロールを含む複数のベルト支持ロールを介して前記像担持ベルトを回転移動可能に支持するベルトフレームを有する前記ベルトモジュール、
（Ａ03）前記スライドフレームの画像形成装置本体に対する出入を可能とする転写ユニット退避位置および前記像担持ベルト上のトナーの記録シートへの転写動作が可能な転写ユニット使用位置の間で移動可能な転写ユニットであって、前記転写ユニット使用位置に移動した状態で前記バックアップロールに支持された像担持ベルトに押圧される転写位置および前記像担持ベルト表面から離れた待機位置の間で移動可能に支持された転写ロールを有し、前記転写位置に移動した転写ロールおよび像担持ベルトの接触領域である転写領域を通過する記録シートに像担持ベルト上のトナー像を転写する前記転写ユニット、
（Ａ04）画像形成装置本体内に配置され、前記転写領域、定着領域に順次記録シートを搬送するとともに、前記記録シート搬送方向における前記転写領域の上流側に配置され、前記転写領域に搬入される前記記録シートをガイドする転写前シートガイドと、
前記転写領域の上流側に配置され且つ前記転写領域に向けて記録シートを搬送するレジロールと、
前記画像形成装置本体に支持され且つ前記レジロールと前記転写前シートガイドとの間に配置されて、前記レジロールにより搬送される記録シートをガイドするレジ側シートガイドと、
を有する記録シート搬送装置であって、前記転写前シートガイドは記録シートの搬送路を形成する一対のベルト側シートガイドおよびロール側シートガイドを有する前記記録シート搬送装置、
（Ａ05）互いに圧接する領域により定着領域を形成する一対の定着用回転部材を有し、前記定着領域を通過する記録シート上のトナー像を加熱定着する定着装置、
（Ａ06）前記ベルトモジュールが前記ベルト使用位置で且つ前記転写ユニットが転写ユニット使用位置に移動した状態のときに前記記録シートを転写領域に搬入するシート搬入位置に移動し、且つ、
前記ベルトモジュールが前記ベルトメンテナンス位置で且つ、前記転写ロールを前記像担持ベルトから離間させるために、前記転写ユニット使用位置に対して前記像担持ベルトから離隔する方向に一定量移動した前記転写ユニット退避位置に前記転写ユニットが移動した状態のときに、前記レジ側シートガイドと干渉せず且つ前記スライドフレームの画像形成装置本体の外部への引き出しを可能とする非干渉位置に移動する前記転写前シートガイド、
（Ｂ08′）前記ベルトモジュールに移動可能に支持されるとともに、前記ベルトモジュールが前記ベルトメンテナンス位置で且つ前記転写ユニットが転写ユニット退避位置に移動した状態のときに前記非干渉位置に保持される前記転写前シートガイド、
（Ｂ010′）前記転写ユニットが前記転写ユニット使用位置に移動し且つ転写ロールが転写位置に移動するのに連動させて前記転写前シートガイドを前記シート搬入位置に移動させるシートガイド位置調節部材。
【請求項２】
下記の要件（Ａ01）〜（Ａ06），（Ｂ011′），（Ｂ012′）を備えたことを特徴とする画像形成装置、
（Ａ01）前記画像形成装置本体に対して挿入された挿入位置と画像形成装置本体から外部に引き出された引出し位置との間で出入可能に支持されたスライドフレームであって、トナー像が形成される像担持ベルトを有するベルトモジュールをベルト使用位置およびベルトメンテナンス位置の間で移動可能に支持する前記スライドフレーム、
（Ａ02）前記ベルト使用位置に移動したときにトナー像が形成されるとともに、前記像担持ベルトにトナー像を形成する部材から前記像担持ベルトを離間させるために前記ベルト使用位置から前記像担持ベルトを離間させる方向に一定量移動した前記ベルトメンテナンス位置に移動したときに他の部材と干渉することなく前記画像形成装置本体に対して出入可能となる像担持ベルトと、ベルト駆動ロールおよびバックアップロールを含む複数のベルト支持ロールを介して前記像担持ベルトを回転移動可能に支持するベルトフレームを有する前記ベルトモジュール、
（Ａ03）前記スライドフレームの画像形成装置本体に対する出入を可能とする転写ユニット退避位置および前記像担持ベルト上のトナーの記録シートへの転写動作が可能な転写ユニット使用位置の間で移動可能な転写ユニットであって、前記転写ユニット使用位置に移動した状態で前記バックアップロールに支持された像担持ベルトに押圧される転写位置および前記像担持ベルト表面から離れた待機位置の間で移動可能に支持された転写ロールを有し、前記転写位置に移動した転写ロールおよび像担持ベルトの接触領域である転写領域を通過する記録シートに像担持ベルト上のトナー像を転写する前記転写ユニット、
（Ａ04）画像形成装置本体内に配置され、前記転写領域、定着領域に順次記録シートを搬送するとともに、前記記録シート搬送方向における前記転写領域の上流側に配置され、前記転写領域に搬入される前記記録シートをガイドする転写前シートガイドと、
前記転写領域の上流側に配置され且つ前記転写領域に向けて記録シートを搬送するレジロールと、
前記画像形成装置本体に支持され且つ前記レジロールと前記転写前シートガイドとの間に配置されて、前記レジロールにより搬送される記録シートをガイドするレジ側シートガイドと、
を有する記録シート搬送装置であって、前記転写前シートガイドは記録シートの搬送路を形成する一対のベルト側シートガイドおよびロール側シートガイドを有する前記記録シート搬送装置、
（Ａ05）互いに圧接する領域により定着領域を形成する一対の定着用回転部材を有し、前記定着領域を通過する記録シート上のトナー像を加熱定着する定着装置、
（Ａ06）前記ベルトモジュールが前記ベルト使用位置で且つ前記転写ユニットが転写ユニット使用位置に移動した状態のときに前記記録シートを転写領域に搬入するシート搬入位置に移動し、且つ、
前記ベルトモジュールが前記ベルトメンテナンス位置で且つ、前記転写ロールを前記像担持ベルトから離間させるために、前記転写ユニット使用位置に対して前記像担持ベルトから離隔する方向に一定量移動した前記転写ユニット退避位置に前記転写ユニットが移動した状態のときに、前記レジ側シートガイドと干渉せず且つ前記スライドフレームの画像形成装置本体の外部への引き出しを可能とする非干渉位置に移動する前記転写前シートガイド、
（Ｂ011′）前記転写ユニットに移動可能に支持されるとともに、前記転写ユニットが転写ユニット退避位置に移動し且つ転写ロールが待機位置に移動した状態では前記非干渉位置に保持される前記転写前シートガイド、
（Ｂ012′）前記転写ユニットが前記転写ユニット使用位置に移動し且つ転写ロールが転写位置に移動するのに連動させて前記転写前シートガイドを前記シート搬入位置に移動させるシートガイド位置調節部材。
【請求項３】
下記の要件（Ａ01）〜（Ａ06），（Ｂ013′）〜（Ｂ015′）を備えたことを特徴とする画像形成装置、
（Ａ01）前記画像形成装置本体に対して挿入された挿入位置と画像形成装置本体から外部に引き出された引出し位置との間で出入可能に支持されたスライドフレームであって、トナー像が形成される像担持ベルトを有するベルトモジュールをベルト使用位置およびベルトメンテナンス位置の間で移動可能に支持する前記スライドフレーム、
（Ａ02）前記ベルト使用位置に移動したときにトナー像が形成されるとともに、前記像担持ベルトにトナー像を形成する部材から前記像担持ベルトを離間させるために前記ベルト使用位置から前記像担持ベルトを離間させる方向に一定量移動した前記ベルトメンテナンス位置に移動したときに他の部材と干渉することなく前記画像形成装置本体に対して出入可能となる像担持ベルトと、ベルト駆動ロールおよびバックアップロールを含む複数のベルト支持ロールを介して前記像担持ベルトを回転移動可能に支持するベルトフレームを有する前記ベルトモジュール、
（Ａ03）前記スライドフレームの画像形成装置本体に対する出入を可能とする転写ユニット退避位置および前記像担持ベルト上のトナーの記録シートへの転写動作が可能な転写ユニット使用位置の間で移動可能な転写ユニットであって、前記転写ユニット使用位置に移動した状態で前記バックアップロールに支持された像担持ベルトに押圧される転写位置および前記像担持ベルト表面から離れた待機位置の間で移動可能に支持された転写ロールを有し、前記転写位置に移動した転写ロールおよび像担持ベルトの接触領域である転写領域を通過する記録シートに像担持ベルト上のトナー像を転写する前記転写ユニット、
（Ａ04）画像形成装置本体内に配置され、前記転写領域、定着領域に順次記録シートを搬送するとともに、前記記録シート搬送方向における前記転写領域の上流側に配置され、前記転写領域に搬入される前記記録シートをガイドする転写前シートガイドと、
前記転写領域の上流側に配置され且つ前記転写領域に向けて記録シートを搬送するレジロールと、
前記画像形成装置本体に支持され且つ前記レジロールと前記転写前シートガイドとの間に配置されて、前記レジロールにより搬送される記録シートをガイドするレジ側シートガイドと、
を有する記録シート搬送装置であって、前記転写前シートガイドは記録シートの搬送路を形成する一対のベルト側シートガイドおよびロール側シートガイドを有する前記記録シート搬送装置、
（Ａ05）互いに圧接する領域により定着領域を形成する一対の定着用回転部材を有し、前記定着領域を通過する記録シート上のトナー像を加熱定着する定着装置、
（Ａ06）前記ベルトモジュールが前記ベルト使用位置で且つ前記転写ユニットが転写ユニット使用位置に移動した状態のときに前記記録シートを転写領域に搬入するシート搬入位置に移動し、且つ、
前記ベルトモジュールが前記ベルトメンテナンス位置で且つ、前記転写ロールを前記像担持ベルトから離間させるために、前記転写ユニット使用位置に対して前記像担持ベルトから離隔する方向に一定量移動した前記転写ユニット退避位置に前記転写ユニットが移動した状態のときに、前記レジ側シートガイドと干渉せず且つ前記スライドフレームの画像形成装置本体の外部への引き出しを可能とする非干渉位置に移動する前記転写前シートガイド、
（Ｂ013′）前記ベルトモジュールに移動可能に支持されるとともに、弾性力により前記非干渉位置に保持される前記転写前シートガイドの前記ベルト側シートガイド、および前記転写ユニットに設けられた前記転写前シートガイドのロール側シートガイドであって転写ユニットが転写ユニット退避位置に移動するのに連動して前記非干渉位置に移動し、且つ転写ユニット使用位置に移動するのに連動して前記シート搬入位置に移動する前記ロール側シートガイド、
（Ｂ014′）前記転写ユニットが前記転写ユニット使用位置に移動したときに前記ロール側シートガイドにより前記シート搬入位置に移動する前記ベルト側シートガイド、
（Ｂ015′）前記ロール側シートガイドおよびベルト側シートガイドの間隔を所定間隔に保持する間隔保持部材。
【請求項４】
下記の要件（Ｂ01）〜（Ｂ08），（Ｂ010）を備えたことを特徴とする画像形成装置、
（Ｂ01）画像形成装置本体により回転移動可能に支持されて、回転移動する表面が帯電器に対向する帯電領域、画像に応じた光が照射される潜像書込位置、現像ロールに対向する現像領域、および１次転写領域を、順次通過する像担持体であって、前記回転移動する表面が前記帯電領域を通過する際に帯電され、前記帯電された表面が潜像書込位置を通過する際に静電潜像が形成され、前記静電潜像が現像領域を通過する際にトナー像に現像され、前記トナー像が前記１次転写領域において中間転写ベルトに転写される前記像担持体、
（Ｂ02）前記画像形成装置本体に挿入された挿入位置と画像形成装置本体から外部に引き出された引出し位置との間で移動可能に支持されたスライドフレームであって、中間転写ベルトを有するベルトモジュールを前記中間転写ベルトが前記像担持体に接触したベルト使用位置と、前記中間転写ベルトを前記像担持体から離間させるために前記ベルト使用位置から前記中間転写ベルトを離隔させる方向に一定量移動したベルトメンテナンス位置との間で移動可能に支持する前記スライドフレーム、
（Ｂ03）前記ベルト使用位置に移動したときに像担持体表面に接触するとともに前記ベルトメンテナンス位置に移動したときに像担持体表面から離れる前記中間転写ベルトと、ベルト駆動ロール、テンションロールおよびバックアップロールを含む複数のベルト支持ロールを介して前記中間転写ベルトを回転移動可能に支持するベルトフレームと、前記像担持体表面および中間転写ベルトの接触領域である１次転写領域において前記像担持体表面のトナー像を前記中間転写ベルトに１次転写する１次転写器とを有するベルトモジュール、
（Ｂ04）前記画像形成装置本体に対するスライドフレームの出入が可能な転写ユニット退避位置および前記中間転写ベルト上のトナーの記録シートへの２次転写動作が可能な転写ユニット使用位置の間で移動可能な２次転写ユニットであって、前記転写ユニット使用位置に移動した状態で前記バックアップロールに支持された中間転写ベルト表面に押圧される転写位置および前記中間転写ベルト表面から離れた待機位置の間で移動可能に支持された２次転写ロールを有し、前記転写位置に移動した２次転写ロールおよび中間転写ベルトの接触領域である２次転写領域を通過する記録シートに中間転写ベルト上のトナー像を２次転写する前記２次転写ユニット、
（Ｂ05）画像形成装置本体内に配置され、前記２次転写領域、定着領域および排紙トレイに順次記録シートを搬送するとともに、前記記録シート搬送方向における前記２次転写領域の上流側に配置され、前記２次転写領域に搬入される前記記録シートをガイドする転写前シートガイドと、
前記二次転写領域の上流側に配置され且つ前記二次転写領域に向けて記録シートを搬送するレジロールと、
前記画像形成装置本体に支持され且つ前記レジロールと前記転写前シートガイドとの間に配置されて、前記レジロールにより搬送される記録シートをガイドするレジ側シートガイドと、
を有する記録シート搬送装置であって、前記転写前シートガイドは記録シートの搬送路を形成する一対のベルト側シートガイドおよびロール側シートガイドを有する前記記録シート搬送装置、
（Ｂ06）互いに圧接する領域により定着領域を形成する一対の定着用回転部材を有し、前記定着領域を通過する記録シート上のトナー像を加熱定着する定着装置、
（Ｂ07）前記ベルトモジュールが前記ベルト使用位置で且つ前記２次転写ユニットが転写ユニット使用位置に移動した状態のときに前記記録シートを２次転写領域に搬入するシート搬入位置に移動し、且つ、
前記ベルトモジュールが前記ベルトメンテナンス位置で且つ、前記二次転写ロールを前記中間転写ベルトから離間させるために、前記転写ユニット使用位置に対して前記中間転写ベルトから離隔する方向に一定量移動した前記転写ユニット退避位置に前記２次転写ユニットが移動した状態のときに、前記レジ側シートガイドと干渉せず且つ前記スライドフレームの画像形成装置本体の外部への引き出しを可能とする非干渉位置に移動する前記転写前シートガイド、
（Ｂ08）前記ベルトモジュールに移動可能に支持されるとともに、前記ベルトモジュールが前記ベルトメンテナンス位置で且つ前記２次転写ユニットが転写ユニット退避位置に移動した状態のときに前記非干渉位置に保持される前記転写前シートガイド、
（Ｂ010）前記２次転写ユニットが前記転写ユニット使用位置に移動し且つ２次転写ロールが転写位置に移動するのに連動させて前記転写前シートガイドを前記シート搬入位置に移動させるシートガイド位置調節部材。
【請求項５】
下記の要件（Ｂ01）〜（Ｂ07），（Ｂ011），（Ｂ012）を備えたことを特徴とする画像形成装置、
（Ｂ01）画像形成装置本体により回転移動可能に支持されて、回転移動する表面が帯電器に対向する帯電領域、画像に応じた光が照射される潜像書込位置、現像ロールに対向する現像領域、および１次転写領域を、順次通過する像担持体であって、前記回転移動する表面が前記帯電領域を通過する際に帯電され、前記帯電された表面が潜像書込位置を通過する際に静電潜像が形成され、前記静電潜像が現像領域を通過する際にトナー像に現像され、前記トナー像が前記１次転写領域において中間転写ベルトに転写される前記像担持体、
（Ｂ02）前記画像形成装置本体に挿入された挿入位置と画像形成装置本体から外部に引き出された引出し位置との間で移動可能に支持されたスライドフレームであって、中間転写ベルトを有するベルトモジュールを前記中間転写ベルトが前記像担持体に接触したベルト使用位置と、前記中間転写ベルトを前記像担持体から離間させるために前記ベルト使用位置から前記中間転写ベルトを離隔させる方向に一定量移動したベルトメンテナンス位置との間で移動可能に支持する前記スライドフレーム、
（Ｂ03）前記ベルト使用位置に移動したときに像担持体表面に接触するとともに前記ベルトメンテナンス位置に移動したときに像担持体表面から離れる前記中間転写ベルトと、ベルト駆動ロール、テンションロールおよびバックアップロールを含む複数のベルト支持ロールを介して前記中間転写ベルトを回転移動可能に支持するベルトフレームと、前記像担持体表面および中間転写ベルトの接触領域である１次転写領域において前記像担持体表面のトナー像を前記中間転写ベルトに１次転写する１次転写器とを有するベルトモジュール、
（Ｂ04）前記画像形成装置本体に対するスライドフレームの出入が可能な転写ユニット退避位置および前記中間転写ベルト上のトナーの記録シートへの２次転写動作が可能な転写ユニット使用位置の間で移動可能な２次転写ユニットであって、前記転写ユニット使用位置に移動した状態で前記バックアップロールに支持された中間転写ベルト表面に押圧される転写位置および前記中間転写ベルト表面から離れた待機位置の間で移動可能に支持された２次転写ロールを有し、前記転写位置に移動した２次転写ロールおよび中間転写ベルトの接触領域である２次転写領域を通過する記録シートに中間転写ベルト上のトナー像を２次転写する前記２次転写ユニット、
（Ｂ05）画像形成装置本体内に配置され、前記２次転写領域、定着領域および排紙トレイに順次記録シートを搬送するとともに、前記記録シート搬送方向における前記２次転写領域の上流側に配置され、前記２次転写領域に搬入される前記記録シートをガイドする転写前シートガイドと、
前記二次転写領域の上流側に配置され且つ前記二次転写領域に向けて記録シートを搬送するレジロールと、
前記画像形成装置本体に支持され且つ前記レジロールと前記転写前シートガイドとの間に配置されて、前記レジロールにより搬送される記録シートをガイドするレジ側シートガイドと、
を有する記録シート搬送装置であって、前記転写前シートガイドは記録シートの搬送路を形成する一対のベルト側シートガイドおよびロール側シートガイドを有する前記記録シート搬送装置、
（Ｂ06）互いに圧接する領域により定着領域を形成する一対の定着用回転部材を有し、前記定着領域を通過する記録シート上のトナー像を加熱定着する定着装置、
（Ｂ07）前記ベルトモジュールが前記ベルト使用位置で且つ前記２次転写ユニットが転写ユニット使用位置に移動した状態のときに前記記録シートを２次転写領域に搬入するシート搬入位置に移動し、且つ、
前記ベルトモジュールが前記ベルトメンテナンス位置で且つ、前記二次転写ロールを前記中間転写ベルトから離間させるために、前記転写ユニット使用位置に対して前記中間転写ベルトから離隔する方向に一定量移動した前記転写ユニット退避位置に前記２次転写ユニットが移動した状態のときに、前記レジ側シートガイドと干渉せず且つ前記スライドフレームの画像形成装置本体の外部への引き出しを可能とする非干渉位置に移動する前記転写前シートガイド、
（Ｂ011）前記２次転写ユニットに移動可能に支持されるとともに、前記２次転写ユニットが転写ユニット退避位置に移動し且つ２次転写ロールが待機位置に移動した状態では前記非干渉位置に保持される前記転写前シートガイド、
（Ｂ012）前記２次転写ユニットが前記転写ユニット使用位置に移動し且つ２次転写ロールが転写位置に移動するのに連動させて前記転写前シートガイドを前記シート搬入位置に移動させるシートガイド位置調節部材。
【請求項６】
下記の要件（Ｂ01）〜（Ｂ07），（Ｂ013）〜（Ｂ015）を備えたことを特徴とする画像形成装置、
（Ｂ01）画像形成装置本体により回転移動可能に支持されて、回転移動する表面が帯電器に対向する帯電領域、画像に応じた光が照射される潜像書込位置、現像ロールに対向する現像領域、および１次転写領域を、順次通過する像担持体であって、前記回転移動する表面が前記帯電領域を通過する際に帯電され、前記帯電された表面が潜像書込位置を通過する際に静電潜像が形成され、前記静電潜像が現像領域を通過する際にトナー像に現像され、前記トナー像が前記１次転写領域において中間転写ベルトに転写される前記像担持体、
（Ｂ02）前記画像形成装置本体に挿入された挿入位置と画像形成装置本体から外部に引き出された引出し位置との間で移動可能に支持されたスライドフレームであって、中間転写ベルトを有するベルトモジュールを前記中間転写ベルトが前記像担持体に接触したベルト使用位置と、前記中間転写ベルトを前記像担持体から離間させるために前記ベルト使用位置から前記中間転写ベルトを離隔させる方向に一定量移動したベルトメンテナンス位置との間で移動可能に支持する前記スライドフレーム、
（Ｂ03）前記ベルト使用位置に移動したときに像担持体表面に接触するとともに前記ベルトメンテナンス位置に移動したときに像担持体表面から離れる前記中間転写ベルトと、ベルト駆動ロール、テンションロールおよびバックアップロールを含む複数のベルト支持ロールを介して前記中間転写ベルトを回転移動可能に支持するベルトフレームと、前記像担持体表面および中間転写ベルトの接触領域である１次転写領域において前記像担持体表面のトナー像を前記中間転写ベルトに１次転写する１次転写器とを有するベルトモジュール、
（Ｂ04）前記画像形成装置本体に対するスライドフレームの出入が可能な転写ユニット退避位置および前記中間転写ベルト上のトナーの記録シートへの２次転写動作が可能な転写ユニット使用位置の間で移動可能な２次転写ユニットであって、前記転写ユニット使用位置に移動した状態で前記バックアップロールに支持された中間転写ベルト表面に押圧される転写位置および前記中間転写ベルト表面から離れた待機位置の間で移動可能に支持された２次転写ロールを有し、前記転写位置に移動した２次転写ロールおよび中間転写ベルトの接触領域である２次転写領域を通過する記録シートに中間転写ベルト上のトナー像を２次転写する前記２次転写ユニット、
（Ｂ05）画像形成装置本体内に配置され、前記２次転写領域、定着領域および排紙トレイに順次記録シートを搬送するとともに、前記記録シート搬送方向における前記２次転写領域の上流側に配置され、前記２次転写領域に搬入される前記記録シートをガイドする転写前シートガイドと、
前記二次転写領域の上流側に配置され且つ前記二次転写領域に向けて記録シートを搬送するレジロールと、
前記画像形成装置本体に支持され且つ前記レジロールと前記転写前シートガイドとの間に配置されて、前記レジロールにより搬送される記録シートをガイドするレジ側シートガイドと、
を有する記録シート搬送装置であって、前記転写前シートガイドは記録シートの搬送路を形成する一対のベルト側シートガイドおよびロール側シートガイドを有する前記記録シート搬送装置、
（Ｂ06）互いに圧接する領域により定着領域を形成する一対の定着用回転部材を有し、前記定着領域を通過する記録シート上のトナー像を加熱定着する定着装置、
（Ｂ07）前記ベルトモジュールが前記ベルト使用位置で且つ前記２次転写ユニットが転写ユニット使用位置に移動した状態のときに前記記録シートを２次転写領域に搬入するシート搬入位置に移動し、且つ、
前記ベルトモジュールが前記ベルトメンテナンス位置で且つ、前記二次転写ロールを前記中間転写ベルトから離間させるために、前記転写ユニット使用位置に対して前記中間転写ベルトから離隔する方向に一定量移動した前記転写ユニット退避位置に前記２次転写ユニットが移動した状態のときに、前記レジ側シートガイドと干渉せず且つ前記スライドフレームの画像形成装置本体の外部への引き出しを可能とする非干渉位置に移動する前記転写前シートガイド、
（Ｂ013）前記ベルトモジュールに移動可能に支持されるとともに、弾性力により前記非干渉位置に保持される前記転写前シートガイドの前記ベルト側シートガイド、および前記２次転写ユニットに設けられた前記転写前シートガイドのロール側シートガイドであって２次転写ユニットが転写ユニット退避位置に移動するのに連動して前記非干渉位置に移動し、且つ転写ユニット使用位置に移動するのに連動して前記シート搬入位置に移動する前記ロール側シートガイド、
（Ｂ014）前記２次転写ユニットが前記転写ユニット使用位置に移動したときに前記ロール側シートガイドにより前記シート搬入位置に移動する前記ベルト側シートガイド、
（Ｂ015）前記ロール側シートガイドおよびベルト側シートガイドの間隔を所定間隔に保持する間隔保持部材。
【発明の詳細な説明】
【０００１】
【発明の属する技術分野】
本発明は、感光体ベルトまたは中間転写ベルト等の像担持ベルト表面に形成されたトナー像を記録シート（最終転写材）に転写する画像形成装置に関し、特に像担持ベルトを支持するベルトモジュールを画像形成装置本体に対して出入させる際に、転写領域に記録シートをガイドする転写前シートガイドが他の部材と干渉しない位置に自動的に移動するようにした画像形成装置に関する。
【０００２】
【従来の技術】
従来、前記像担持ベルトとして中間転写ベルトを使用し、前記中間転写ベルト上の１次転写トナー像を記録シート（最終転写材）に２次転写する画像形成装置として、次の構成要件（１）〜（７）を有する画像形成装置が従来公知である。
（１）中間転写ベルトに１次転写するトナー像が形成される感光体ドラム（像担持ベルト）、
（２）前記画像形成装置本体に挿入された挿入位置と画像形成装置本体から外部に引き出された引出し位置との間で移動可能に支持されたスライドフレームであって、中間転写ベルトを有するベルトモジュールをベルト使用位置（画像形成動作を実行する位置）およびベルトメンテナンス位置（画像形成装置本体に対する出入等のメンテナンス作業を行う位置）の間で移動可能に支持する前記スライドフレーム。
【０００３】
（３）前記ベルト使用位置に移動したときに像担持体表面に接触するとともに前記ベルトメンテナンス位置に移動したときに像担持体表面から離れる前記中間転写ベルトと、ベルト駆動ロール、テンションロールおよびバックアップロールを含む複数のベルト支持ロールを介して前記中間転写ベルトを回転移動可能に支持するベルトフレームと、前記像担持体表面および中間転写ベルトの接触領域である１次転写領域において前記像担持体表面のトナー像を前記中間転写ベルトに１次転写する１次転写器とを有するベルトモジュール。
（４）前記ベルトモジュールを支持するスライドフレームの前記画像形成装置本体に対する出入が可能な転写ユニット退避位置および前記中間転写ベルト上のトナーの記録シートへの２次転写動作が可能な転写ユニット使用位置の間で移動可能な２次転写ユニットであって、前記転写ユニット使用位置に移動した状態で前記バックアップロールに支持された中間転写ベルト表面に押圧される転写位置および前記中間転写ベルト表面から離れた待機位置の間で移動可能に支持された２次転写ロールを有し、前記転写位置に移動した２次転写ロールおよび中間転写ベルトの接触領域である２次転写領域を通過する記録シートに中間転写ベルト上のトナー像を２次転写する前記２次転写ユニット。
【０００４】
（５）画像形成装置本体内に配置され、前記２次転写領域および定着領域に順次記録シートを搬送して通過させるとともに、前記記録シート搬送方向における前記２次転写領域の上流側に配置され、前記２次転写領域に搬入される前記記録シートをガイドする転写前シートガイドを有する記録シート搬送装置であって、前記転写前シートガイドはシート通路を形成する一対のベルト側シートガイドおよびロール側シートガイドを有する前記記録シート搬送装置。
（６）互いに圧接する領域により定着領域を形成する一対の定着用回転部材を有し、前記定着領域を通過する記録シート上のトナー像を加熱定着する定着装置。
（７）前記トナー像が定着された用紙を収容する排紙トレイ。
【０００５】
【発明が解決しようとする課題】
前記画像形成装置において、中間転写ベルトの交換時にベルトモジュールを画像形成装置本体から引き出す際、中間転写ベルトを像担持体から離間させるために、転写位置（通常の２次転写位置）からある一定量下げる必要がある。
一方、２次転写領域への記録シート突入を案内する転写前シートガイドは中間転写ベルトとの位置関係を精度よく実現させるために次の点が必要である。
（１）ベルトモジュール付きもしくは、２次転写領域の中間転写ベルトに対して位置決めさせることが望ましい。
また、２次転写領域の上流側に配置されているレジロールの下流であって、前記転写前シートガイドの上流側にレジ側シートガイドが設けられている場合、レジ側シートガイドと転写前シートガイドとの間で記録シート受け渡しを確実に行うためには、次の点が必要である。
（２）シートガイドの間隔をなるべく小さくする必要がある。
しかし、上記（１），（２）を同時に実現しようとすると、画像形成装置本体に支持されたレジ側シートガイドと、前記画像形成装置本体に対して出入されるベルトモジュールに支持された転写前シートガイドとの間で干渉が発生してしまう。
【０００６】
そこで、従来はレジ側シートガイドから記録シートを受け取る転写前シートガイドの受け渡し部の関口を広くすることで、干渉を回避していた。そのため、カールした用紙などの走行性に対しては性能を落とさざるを得なかった。
一方、特開平５−７２９１０のように２次転写領上流側のシートガイドを全てレジ側シートガイドにより構成すると、２次転写領域の中間転写ベルトに対する突入位置の精度がでにくい構造となってしまう。また、ベルト交換のために、ベルトモジュールが移動するような構造の場合、干渉を避けれるように用紙案内板が待避できるような構成になっていないとシートガイドと中間転写ベルトとの干渉が発生してしまう。
前述の記載では中間転写ベルトに関して記載したが、本発明は感光体ベルト表面から記録シートにトナー像を転写させる場合にも適用可能である。
【０００７】
本発明は前述の事情に鑑み、画像形成動作時にはベルト使用位置に保持され、且つメンテナンス作業時にはベルトメンテナンス位置に保持される像担持ベルトを有するベルトモジュールと、画像形成時には前記像担持ベルトに接触し且つメンテナンス時には像担持ベルトから離れた転写ユニット退避位置に移動する転写ロールを有する転写ユニットと、前記像担持ベルトおよび転写ロールが接触する転写領域に記録シートを搬入する転写前シートガイドとを有する画像形成装置において、下記の記載内容を課題とする。
（Ｏ01）転写前シートガイドを、画像形成動作時には転写領域に記録シートを突入させる所定の位置に移動させるとともに、前記ベルトモジュールの画像形成装置本体への出入移動時には、前記ベルトモジュールまたは転写ユニットの移動に連動させて他の部材と干渉しない位置に自動的に移動させること。
【０００８】
【課題を解決するための手段】
次に、前記課題を解決するために案出した本発明を説明するが、本発明の要素には、後述の実施例の要素との対応を容易にするため、実施例の要素の符号をカッコで囲んだものを付記する。
なお、本発明を後述の実施例の符号と対応させて説明する理由は、本発明の理解を容易にするためであり、本発明の範囲を実施例に限定するためではない。
【０００９】
（第１発明）
前記課題を解決するために、本出願の第１発明の画像形成装置は、下記の要件（Ａ01）〜（Ａ06），（Ｂ08′），（Ｂ010′）を備えたことを特徴とする画像形成装置、
（Ａ01）前記画像形成装置本体に対して挿入された挿入位置と画像形成装置本体から外部に引き出された引出し位置との間で出入可能に支持されたスライドフレーム（Ｆ1）であって、トナー像が形成される像担持ベルト（Ｂ）を有するベルトモジュール（ＢＭ）をベルト使用位置およびベルトメンテナンス位置の間で移動可能に支持する前記スライドフレーム（Ｆ1）、
（Ａ02）前記ベルト使用位置に移動したときにトナー像が形成されるとともに、前記像担持ベルト（Ｂ）にトナー像を形成する部材から前記像担持ベルト（Ｂ）を離間させるために前記ベルト使用位置から前記像担持ベルト（Ｂ）を離間させる方向に一定量移動した前記ベルトメンテナンス位置に移動したときに他の部材と干渉することなく前記画像形成装置本体に対して出入可能となる像担持ベルト（Ｂ）と、ベルト駆動ロール（Ｒd）およびバックアップロール（Ｔ2a）を含む複数のベルト支持ロール（Ｒd，Ｒt，Ｒw，Ｒf，Ｔ2a）を介して前記像担持ベルト（Ｂ）を回転移動可能に支持するベルトフレーム（Ｆ2）を有する前記ベルトモジュール（ＢＭ）、
（Ａ03）前記スライドフレーム（Ｆ1）の画像形成装置本体に対する出入を可能とする転写ユニット退避位置および前記像担持ベルト（Ｂ）上のトナーの記録シート（Ｓ）への転写動作が可能な転写ユニット使用位置の間で移動可能な転写ユニット（Ｕt）であって、前記転写ユニット使用位置に移動した状態で前記バックアップロール（Ｔ2a）に支持された像担持ベルト（Ｂ）表面に押圧される転写位置および前記像担持ベルト（Ｂ）表面から離れた待機位置の間で移動可能に支持された転写ロール（Ｔ2b）を有し、前記転写位置に移動した転写ロール（Ｔ2b）および像担持ベルト（Ｂ）の接触領域である転写領域を通過する記録シート（Ｓ）に像担持ベルト（Ｂ）上のトナー像を転写する前記転写ユニット（Ｕt）、
（Ａ04）画像形成装置本体内に配置され、前記転写領域（Ｑ4）、定着領域（Ｑ5）に順次記録シート（Ｓ）を搬送するとともに、前記記録シート（Ｓ）搬送方向における前記転写領域（Ｑ4）の上流側に配置され、前記転写領域（Ｑ4）に搬入される前記記録シート（Ｓ）をガイドする転写前シートガイド（ＳＧ1）と、
前記転写領域（Ｑ４）の上流側に配置され且つ前記転写領域（Ｑ４）に向けて記録シート（Ｓ）を搬送するレジロール（Ｒｒ）と、
前記画像形成装置本体に支持され且つ前記レジロール（Ｒｒ）と前記転写前シートガイド（ＳＧ１）との間に配置されて、前記レジロール（Ｒｒ）により搬送される記録シート（Ｓ）をガイドするレジ側シートガイド（ＳＧｒ）と、
を有する記録シート搬送装置（ＳH）であって、前記転写前シートガイド（ＳＧ1）は記録シート（Ｓ）の搬送路を形成する一対のベルト側シートガイド（ＳＧ1a）およびロール側シートガイドを有する前記記録シート搬送装置（ＳH）、
（Ａ05）互いに圧接する領域により定着領域（Ｑ5）を形成する一対の定着用回転部材（Ｆh，Ｆp）を有し、前記定着領域（Ｑ5）を通過する記録シート（Ｓ）上のトナー像を加熱定着する定着装置（Ｆ）、
（Ａ06）前記ベルトモジュール（ＢＭ）が前記ベルト使用位置で且つ前記転写ユニット（Ｕt）が転写ユニット使用位置に移動した状態のときに前記記録シート（Ｓ）を転写領域（Ｑ4）に搬入するシート搬入位置に移動し、且つ、
前記ベルトモジュール（ＢＭ）が前記ベルトメンテナンス位置で且つ、前記転写ロール（Ｔ２ｂ）を前記像担持ベルト（Ｂ）から離間させるために、前記転写ユニット使用位置に対して前記像担持ベルト（Ｂ）から離隔する方向に一定量移動した転写ユニット退避位置に前記転写ユニット（Ｕt）が移動した状態のときに、前記レジ側シートガイド（ＳＧｒ）と干渉せず且つ前記スライドフレーム（Ｆ1）の画像形成装置本体の外部への引き出しを可能とする非干渉位置に移動する前記転写前シートガイド（ＳＧ1）、
（Ｂ08′）前記ベルトモジュール（ＢＭ）に移動可能に支持されるとともに、前記ベルトモジュール（ＢＭ）が前記ベルトメンテナンス位置で且つ前記転写ユニット（Ｕt）が転写ユニット退避位置に移動した状態のときに前記非干渉位置に保持される前記転写前シートガイド（ＳＧ1）、
（Ｂ010′）前記転写ユニット（Ｕt）が前記転写ユニット使用位置に移動し且つ転写ロール（Ｔ2b）が転写位置に移動するのに連動させて前記転写前シートガイド（ＳＧ1）を前記シート搬入位置に移動させるシートガイド位置調節部材（１２b）。
【００１０】
（第１発明の作用）
前記構成を備えた本出願の第１発明の画像形成装置では、スライドフレーム（Ｆ1）は、画像形成装置本体に対して挿入された挿入位置と画像形成装置本体から外部に引き出された引出し位置との間で出入可能に支持される。前記スライドフレーム（Ｆ1）は、ベルトモジュール（ＢＭ）をベルト使用位置およびベルトメンテナンス位置の間で移動可能に支持する。前記ベルトモジュール（ＢＭ）のベルトフレーム（Ｆ2）は、ベルト駆動ロール（Ｒd）およびバックアップロール（Ｔ2a）を含む複数のベルト支持ロール（Ｒd，Ｒt，Ｒw，Ｒf，Ｔ2a）を介して像担持ベルト（Ｂ）を回転移動可能に支持する。前記ベルトフレーム（Ｆ2）が、前記像担持ベルト（Ｂ）にトナー像を形成する部材から前記像担持ベルト（Ｂ）を離間させるために、前記ベルト使用位置から前記像担持ベルト（Ｂ）を離間させる方向に一定量移動した前記ベルトメンテナンス位置に移動したときに前記像担持ベルト（Ｂ）は他の部材と干渉することなく前記画像形成装置本体に対して出入可能となる。
【００１１】
前記ベルトモジュール（ＢＭ）が前記ベルト使用位置に移動して、前記像担持ベルト（Ｂ）にはトナー像が形成される。
転写ユニット（Ｕt）は、転写ユニット退避位置および転写ユニット使用位置の間で移動し、前記転写ユニット退避位置では前記前記スライドフレーム（Ｆ1）が画像形成装置本体に対する出入可能となり、前記転写ユニット使用位置では前記像担持ベルト（Ｂ）上のトナーの記録シート（Ｓ）への転写動作が可能である。
前記転写ユニット（Ｕt）は、転写ロール（Ｔ2b）を転写位置および待機位置の間で移動可能に支持され、前記転写位置では前記転写ロール（Ｔ2b）が前記バックアップロール（Ｔ2a）に支持された像担持ベルト（Ｂ）表面に押圧される。前記待機位置では前記転写ロール（Ｔ2b）が前記像担持ベルト（Ｂ）表面から離れる。
前記転写位置に移動した転写ロール（Ｔ2b）と前記像担持ベルト（Ｂ）との接触領域である転写領域（Ｑ4）は、記録シート（Ｓ）にトナー像を転写する。
【００１２】
画像形成装置本体内に配置された記録シート搬送装置（ＳH）は、前記転写領域（Ｑ4）、定着領域（Ｑ5）に順次記録シート（Ｓ）を搬送する。記録シート搬送装置（ＳH）の転写前シートガイド（ＳＧ1）は、前記記録シート（Ｓ）搬送方向における前記転写領域（Ｑ4）の上流側に配置される。前記記録シート搬送装置（ＳH）のレジロール（Ｒｒ）は、前記転写領域（Ｑ４）の上流側に配置され且つ前記転写領域（Ｑ４）に向けて記録シート（Ｓ）を搬送する。前記画像形成装置本体に支持され且つ前記レジロール（Ｒｒ）と前記転写前シートガイド（ＳＧ１）との間に配置されたレジ側シートガイド（ＳＧｒ）は、前記レジロール（Ｒｒ）により搬送される記録シート（Ｓ）をガイドする。
前記転写前シートガイド（ＳＧ1）は、一対のベルト側シートガイド（ＳＧ1a）およびロール側シートガイド（ＳＧ1b）を有しており、前記転写前シートガイド（ＳＧ1）は、前記ベルトモジュール（ＢＭ）に支持される。
シートガイド位置調節部材（１２b）は、前記転写ユニット（Ｕt）が転写ユニット使用位置および転写ロール（Ｔ2b）が転写位置に移動するのに連動して、前記転写前シートガイド（ＳＧ1）をシート搬入位置に移動させる。このとき、前記ベルト側シートガイド（ＳＧ1a）および前記ロール側シートガイド（ＳＧ1b）は記録シート（Ｓ）の搬送路を形成して前記転写領域（Ｑ4）に搬入される前記記録シート（Ｓ）をガイドする。前記転写領域（Ｑ4）に搬入された前記記録シート（Ｓ）には前記像担持ベルト（Ｂ）上のトナー像が転写される。
【００１３】
定着装置（Ｆ）は、互いに圧接する領域により定着領域（Ｑ5）を形成する一対の定着用回転部材（Ｆh，Ｆp）を有し、前記定着領域（Ｑ5）を通過する記録シート（Ｓ）上のトナー像を加熱定着する。
前記ベルトモジュール（ＢＭ）が前記ベルトメンテナンス位置で且つ、前記転写ロール（Ｔ２ｂを前記像担持ベルト（Ｂ）から離間させるために、前記転写ユニット使用位置に対して前記像担持ベルト（Ｂ）から離隔する方向に一定量移動した転写ユニット退避位置に前記転写ユニット（Ｕｔ）が移動した状態のときに、前記レジ側シートガイド（ＳＧｒ）と干渉しない前記転写前シートガイド（ＳＧ１）が非干渉位置に移動する。このとき、前記スライドフレーム（Ｆ1）の画像形成装置本体の外部への引き出しが可能となる。
また、前記第１発明において、要件（Ｂ08′），（Ｂ010′）に換えて下記の要件（Ｂ011′），（Ｂ012′）を備えることもできる。
（Ｂ011′）前記転写ユニット（Ｕt）に移動可能に支持されるとともに、前記転写ユニット（Ｕt）が転写ユニット退避位置に移動し且つ転写ロール（Ｔ2b）が待機位置に移動した状態では前記非干渉位置に保持される前記転写前シートガイド（ＳＧ1）、
（Ｂ012′）前記転写ユニット（Ｕt）が前記転写ユニット使用位置に移動し且つ転写ロール（Ｔ2b）が転写位置に移動するのに連動させて前記転写前シートガイド（ＳＧ1）を前記シート搬入位置に移動させるシートガイド位置調節部材（１２c）。
前記要件（Ｂ011′），（Ｂ012′）を備えた場合、転写前シートガイド（ＳＧ1）は、前記転写ユニット（Ｕt）に移動可能に支持されるとともに、前記次転写ユニット（Ｕt）が転写ユニット退避位置に移動し且つ転写ロール（Ｔ2b）が待機位置に移動した状態では前記非干渉位置に保持される。シートガイド位置調節部材（１２c）は、前記転写ユニット（Ｕt）が前記転写ユニット使用位置に移動し且つ転写ロール（Ｔ2b）が転写位置に移動するのに連動させて前記転写前シートガイド（ＳＧ1）を前記シート搬入位置に移動させる。したがって、この場合も前記第１発明と同様の作用を奏する。
さらに、前記第１発明において、要件（Ｂ08′），（Ｂ010′）に換えて下記の要件（Ｂ013′）〜（Ｂ015′）を備えることもできる。
（Ｂ013′）前記ベルトモジュール（ＢＭ）に移動可能に支持されるとともに、弾性力により前記非干渉位置に保持される前記転写前シートガイド（ＳＧ1）の前記ベルト側シートガイド（ＳＧ1a）、および前記転写ユニット（Ｕt）に設けられた前記転写前シートガイド（ＳＧ1）のロール側シートガイド（ＳＧ1b）であって転写ユニット（Ｕt）が転写ユニット退避位置に移動するのに連動して前記非干渉位置に移動し、且つ転写ユニット使用位置に移動するのに連動して前記シート搬入位置に移動する前記ロール側シートガイド（ＳＧ1b）、
（Ｂ014′）前記転写ユニット（Ｕt）が前記転写ユニット使用位置に移動したときに前記ロール側シートガイド（ＳＧ1b）により前記シート搬入位置に移動する前記ベルト側シートガイド（ＳＧ1a）、
（Ｂ015′）前記ロール側シートガイド（ＳＧ1b）およびベルト側シートガイド（ＳＧ1a）の間隔を所定間隔に保持する間隔保持部材（５６）。
前記要件（Ｂ013′）〜（Ｂ015′）を備えた場合では、転写前シートガイド（ＳＧ1）の前記ベルト側シートガイド（ＳＧ1a）は、前記ベルトモジュール（ＢＭ）に移動可能に支持されるとともに、弾性力により前記非干渉位置に保持される。前記転写ユニット（Ｕt）に設けられた前記転写前シートガイド（ＳＧ1）のロール側シートガイド（ＳＧ1b）は、転写ユニット（Ｕt）が転写ユニット退避位置に移動するのに連動して前記非干渉位置に移動し、且つ転写ユニット使用位置に移動するのに連動して前記シート搬入位置に移動する。
前記ベルト側シートガイド（ＳＧ1a）は、前記転写ユニット（Ｕt）が前記転写ユニット使用位置に移動したときに前記ロール側シートガイド（ＳＧ1b）により前記シート搬入位置に移動する。間隔保持部材（５６）は、前記ロール側シートガイド（ＳＧ1b）およびベルト側シートガイド（ＳＧ1a）の間隔を所定間隔に保持する。このため、ベルト側シートガイド（ＳＧ1a）は、前記間隔保持部材（５６）により前記ロール側シートガイド（ＳＧ1b）に対して所定の間隔を保持されるとともに位置決めされる。
【００１４】
（第２発明）
また、本出願の第２発明の画像形成装置は、下記の要件（Ｂ01）〜（Ｂ08），（Ｂ010）を備えたことを特徴とする、
（Ｂ01）画像形成装置本体により回転移動可能に支持されて、回転移動する表面が帯電器（ＣR）に対向する帯電領域（Ｑ0）、画像に応じた光が照射される潜像書込位置（Ｑ1）、現像ロール（ＤＲ）に対向する現像領域（Ｑ2）、および１次転写領域（Ｑ3）を、順次通過する像担持体（ＰＲ）であって、前記回転移動する表面が前記帯電領域（Ｑ0）を通過する際に帯電され、前記帯電された表面が潜像書込位置（Ｑ1）を通過する際に静電潜像が形成され、前記静電潜像が現像領域（Ｑ2）を通過する際にトナー像に現像され、前記トナー像が前記１次転写領域（Ｑ3）において中間転写ベルト（Ｂ）に転写される前記像担持体（ＰＲ）、
（Ｂ02）前記画像形成装置本体に挿入された挿入位置と画像形成装置本体から外部に引き出された引出し位置との間で移動可能に支持されたスライドフレーム（Ｆ1）であって、中間転写ベルト（Ｂ）を有するベルトモジュール（ＢＭ）を前記中間転写ベルト（Ｂ）が前記像担持体（ＰＲ）に接触したベルト使用位置（画像形成動作を実行する位置）と、前記中間転写ベルト（Ｂ）を前記像担持体（ＰＲ）から離間させるために前記ベルト使用位置から前記中間転写ベルト（Ｂ）を離隔させる方向に一定量移動したベルトメンテナンス位置（画像形成装置本体に対する出入等のメンテナンス作業を行う位置）との間で移動可能に支持する前記スライドフレーム（Ｆ1）、
（Ｂ03）前記ベルト使用位置に移動したときに像担持体（ＰＲ）表面に接触するとともに前記ベルトメンテナンス位置に移動したときに像担持体（ＰＲ）表面から離れる前記中間転写ベルト（Ｂ）と、ベルト駆動ロール（Ｒd）、テンションロール（Ｒt）およびバックアップロール（Ｔ2a）を含む複数のベルト支持ロール（Ｒd，Ｒt，Ｒw，Ｒf，Ｔ2a）を介して前記中間転写ベルト（Ｂ）を回転移動可能に支持するベルトフレーム（Ｆ2）と、前記像担持体（ＰＲ）表面および中間転写ベルト（Ｂ）の接触領域である１次転写領域（Ｑ3）において前記像担持体（ＰＲ）表面のトナー像を前記中間転写ベルト（Ｂ）に１次転写する１次転写器（Ｔ1）とを有するベルトモジュール（ＢＭ）、
（Ｂ04）前記画像形成装置本体に対するスライドフレーム（Ｆ1）の出入が可能な転写ユニット退避位置および前記中間転写ベルト（Ｂ）上のトナーの記録シート（Ｓ）への２次転写動作が可能な転写ユニット使用位置の間で移動可能な２次転写ユニット（Ｕt）であって、前記転写ユニット使用位置に移動した状態で前記バックアップロール（Ｔ2a）に支持された中間転写ベルト（Ｂ）表面に押圧される転写位置および前記中間転写ベルト（Ｂ）表面から離れた待機位置の間で移動可能に支持された２次転写ロール（Ｔ2b）を有し、前記転写位置に移動した２次転写ロール（Ｔ2b）および中間転写ベルト（Ｂ）の接触領域である２次転写領域（Ｑ4）を通過する記録シート（Ｓ）に中間転写ベルト（Ｂ）上のトナー像を２次転写する前記２次転写ユニット（Ｕt）、
（Ｂ05）画像形成装置本体内に配置され、前記２次転写領域（Ｑ4）、定着領域（Ｑ5）および排紙トレイ（ＴR2）に順次記録シート（Ｓ）を搬送するとともに、前記記録シート搬送方向における前記２次転写領域（Ｑ4）の上流側に配置され、前記２次転写領域（Ｑ4）に搬入される前記記録シート（Ｓ）をガイドする転写前シートガイド（ＳＧ1）と、
前記二次転写領域（Ｑ４）の上流側に配置され且つ前記二次転写領域（Ｑ４）に向けて記録シート（Ｓ）を搬送するレジロール（Ｒｒ）と、
前記画像形成装置本体に支持され且つ前記レジロール（Ｒｒ）と前記転写前シートガイド（ＳＧ１）との間に配置されて、前記レジロール（Ｒｒ）により搬送される記録シート（Ｓ）をガイドするレジ側シートガイド（ＳＧｒ）と、
を有する記録シート搬送装置（ＳH）であって、前記転写前シートガイド（ＳＧ1）は記録シート（Ｓ）の搬送路を形成する一対のベルト側シートガイド（ＳＧ1a）およびロール側シートガイド（ＳＧ1b）を有する前記記録シート搬送装置（ＳH）、
（Ｂ06）互いに圧接する領域により定着領域（Ｑ5）を形成する一対の定着用回転部材（Ｆh，Ｆp）を有し、前記定着領域（Ｑ5）を通過する記録シート（Ｓ）上のトナー像を加熱定着する定着装置（Ｆ）、
（Ｂ07）前記ベルトモジュール（ＢＭ）が前記ベルト使用位置で且つ前記２次転写ユニット（Ｕt）が転写ユニット使用位置に移動した状態のときに前記記録シート（Ｓ）を２次転写領域（Ｑ4）に搬入するシート搬入位置に移動し、且つ、
前記ベルトモジュール（ＢＭ）が前記ベルトメンテナンス位置で且つ、前記二次転写ロール（Ｔ２ｂ）を前記中間転写ベルト（Ｂ）から離間させるために、前記転写ユニット使用位置に対して前記中間転写ベルト（Ｂ）から離隔する方向に一定量移動した転写ユニット退避位置に前記２次転写ユニット（Ｕt）が移動した状態のときに、前記レジ側シートガイド（ＳＧｒ）と干渉せず且つ前記スライドフレーム（Ｆ1）の画像形成装置本体の外部への引き出しを可能とする非干渉位置に移動する前記転写前シートガイド（ＳＧ1）、
（Ｂ08）前記ベルトモジュール（ＢＭ）に移動可能に支持されるとともに、前記ベルトモジュール（ＢＭ）が前記ベルトメンテナンス位置で且つ前記２次転写ユニット（Ｕt）が転写ユニット退避位置に移動した状態のときに前記非干渉位置に保持される前記転写前シートガイド（ＳＧ1）、
（Ｂ010）前記２次転写ユニット（Ｕt）が前記転写ユニット使用位置に移動し且つ２次転写ロール（Ｔ2b）が転写位置に移動するのに連動させて前記転写前シートガイド（ＳＧ1）を前記シート搬入位置に移動させるシートガイド位置調節部材（１２b）。
【００１５】
（第２発明の作用）
前記構成を備えた本出願の第２発明の画像形成装置では、スライドフレーム（Ｆ1）は、画像形成装置本体に対して挿入された挿入位置と画像形成装置本体から外部に引き出された引出し位置との間で出入可能に支持される。前記スライドフレーム（Ｆ1）は、ベルトモジュール（ＢＭ）を前記中間転写ベルト（Ｂ）が前記像担持体（ＰＲ）に接触したベルト使用位置と、前記中間転写ベルト（Ｂ）を前記像担持体（ＰＲ）から離間させるために、前記ベルト使用位置から前記中間転写ベルト（Ｂ）を離隔させる方向に一定量移動したベルトメンテナンス位置との間で移動可能に支持する。前記ベルトモジュール（ＢＭ）のベルトフレーム（Ｆ2）は、ベルト駆動ロール（Ｒd）、テンションロール（Ｒt）およびバックアップロール（Ｔ2a）を含む複数のベルト支持ロール（Ｒd，Ｒt，Ｒw，Ｒf，Ｔ2a）を介して中間転写ベルト（Ｂ）を回転移動可能に支持する。前記ベルトフレーム（Ｆ2）が前記ベルトメンテナンス位置に移動したときに前記中間転写体ベルト（Ｂ）は像担持体（ＰＲ）表面から離れる。このため、前記中間転写体ベルト（Ｂ）が前記像担持体（ＰＲ）表面に接触することなく前記画像形成装置本体に対して出入可能となる。
前記ベルトモジュール（ＢＭ）が前記ベルト使用位置に移動したときに、前記中間転写ベルト（Ｂ）は前記像担持体（ＰＲ）表面に接触し、前記中間転写ベルト（Ｂ）および像担持体（ＰＲ）表面の接触領域である１次転写領域（Ｑ3）を形成する。
【００１６】
画像形成装置本体により回転移動可能に支持された像担持体（ＰＲ）の回転移動する表面が帯電器（ＣR）に対向する帯電領域（Ｑ0）、画像に応じた光が照射される潜像書込位置（Ｑ1）、現像ロール（ＤＲ）に対向する現像領域（Ｑ2）、および１次転写領域（Ｑ3）を、順次通過する。前記像担持体（ＰＲ）の回転移動する表面が前記帯電領域（Ｑ0）を通過する際に帯電され、前記帯電された表面が潜像書込位置（Ｑ1）を通過する際に静電潜像が形成され、前記静電潜像が現像領域（Ｑ2）を通過する際にトナー像に現像され、前記１次転写領域（Ｑ3）において前記１次転写器（Ｔ1）により前記像担持体（ＰＲ）表面のトナー像が前記中間転写ベルト（Ｂ）に１次転写される。
【００１７】
２次転写ユニット（Ｕt）は、転写ユニット退避位置および転写ユニット使用位置の間で移動し、前記転写ユニット退避位置では前記２次転写ユニット（Ｕt）が前記スライドフレーム（Ｆ1）が画像形成装置本体に対して出入可能となり、前記転写ユニット使用位置では前記中間転写ベルト（Ｂ）上のトナーの記録シート（Ｓ）への転写動作が可能である。
前記２次転写ユニット（Ｕt）は、前記転写ユニット使用位置に移動した状態で２次転写ロール（Ｔ2b）を転写位置および待機位置の間で移動可能に支持し、前記転写位置では前記２次転写ロール（Ｔ2b）が前記バックアップロール（Ｔ2a）に支持された中間転写ベルト（Ｂ）表面に押圧される。前記待機位置では前記２次転写ロール（Ｔ2b）が前記中間転写ベルト（Ｂ）表面から離れる。前記転写位置に移動した２次転写ロール（Ｔ2b）と前記中間転写ベルト（Ｂ）との接触領域である２次転写領域（Ｑ4）は、記録シート（Ｓ）にトナー像を転写する。
【００１８】
画像形成装置本体内に配置された記録シート搬送装置（ＳH）は、前記２次転写領域（Ｑ4）、定着領域（Ｑ5）および排紙トレイ（ＴR2）に順次記録シート（Ｓ）を搬送する。記録シート搬送装置（ＳH）の転写前シートガイド（ＳＧ1）は、前記記録シート（Ｓ）搬送方向における前記２次転写領域（Ｑ4）の上流側に配置される。
前記転写前シートガイド（ＳＧ1）は、一対のベルト側シートガイド（ＳＧ1a）およびロール側シートガイド（ＳＧ1b）を有しており、前記ベルト側シートガイド（ＳＧ1a）は、前記ベルトモジュール（ＢＭ）に支持され、前記ロール側シートガイド（ＳＧ1b）は、前記２次転写ユニット（Ｕt）に支持される。
前記二次転写領域（Ｑ４）の上流側に配置されたレジロール（Ｒｒ）は、前記二次転写領域（Ｑ４）に向けて記録シート（Ｓ）を搬送する。
前記画像形成装置本体に支持され且つ前記レジロール（Ｒｒ）と前記転写前シートガイド（ＳＧ１）との間に配置されたレジ側シートガイド（ＳＧｒ）は、前記レジロール（Ｒｒ）により搬送される記録シート（Ｓ）をガイドする。
【００１９】
前記２次転写ユニット（Ｕt）に設けられたシートガイド位置調節部材（１２c）は、前記２次転写ユニット（Ｕt）が前記転写ユニット使用位置に移動し且つ２次転写ロール（Ｔ2b）が転写位置に移動するのに連動させて前記転写前シートガイド（ＳＧ1）を前記シート搬入位置に移動させる。このとき、前記ベルト側シートガイド（ＳＧ1a）および前記ロール側シートガイド（ＳＧ1b）は記録シート（Ｓ）の搬送路を形成して前記２次転写領域（Ｑ4）に搬入される前記記録シート（Ｓ）をガイドする。前記２次転写領域（Ｑ4）に搬入された前記記録シート（Ｓ）には前記中間転写ベルト（Ｂ）上のトナー像が転写される。
定着装置（Ｆ）は、互いに圧接する領域により定着領域（Ｑ5）を形成する一対の定着用回転部材（Ｆh，Ｆp）を有し、前記定着領域（Ｑ5）を通過する記録シート（Ｓ）上のトナー像を加熱定着する。
前記ベルトモジュール（ＢＭ）を前記ベルトメンテナンス位置で且つ、前記二次転写ロール（Ｔ２ｂ）を前記中間転写ベルト（Ｂ）から離間させるために、前記転写ユニット使用位置に対して前記中間転写ベルト（Ｂ）から離隔する方向に一定量移動した転写ユニット退避位置に前記２次転写ユニット（Ｕt）が移動した状態のときに転写前シートガイド（ＳＧ1）が、前記レジ側シートガイド（ＳＧｒ）と干渉しない非干渉位置に移動する。
このとき、前記スライドフレーム（Ｆ1）の画像形成装置本体の外部への引き出しを可能となる。したがって、前記転写前シートガイド（ＳＧ1）を、画像形成動作時には２次転写領域（Ｑ4）に記録シート（Ｓ）を突入させる所定の位置に移動させ、前記ベルトモジュール（ＢＭ）の画像形成装置本体への出入移動時には、他の部材と干渉しない位置に移動させることができる。
【００２４】
前記第２発明の画像形成装置において、要件（Ｂ08），（Ｂ010）に換えて下記の要件（Ｂ011），（Ｂ012）を備えることができる。
（Ｂ011）前記２次転写ユニット（Ｕt）に移動可能に支持されるとともに、前記２次転写ユニット（Ｕt）が転写ユニット退避位置に移動し且つ２次転写ロール（Ｔ2b）が待機位置に移動した状態では前記非干渉位置に保持される前記転写前シートガイド（ＳＧ1）、
（Ｂ012）前記２次転写ユニット（Ｕt）が前記転写ユニット使用位置に移動し且つ２次転写ロール（Ｔ2b）が転写位置に移動するのに連動させて前記転写前シートガイド（ＳＧ1）を前記シート搬入位置に移動させるシートガイド位置調節部材（１２c）。
【００２５】
前記要件（Ｂ011），（Ｂ012）を備えた場合、転写前シートガイド（ＳＧ1）は、前記２次転写ユニット（Ｕt）に移動可能に支持されるとともに、前記２次転写ユニット（Ｕt）が転写ユニット退避位置に移動し且つ２次転写ロール（Ｔ2b）が待機位置に移動した状態では前記非干渉位置に保持される。シートガイド位置調節部材（１２c）は、前記２次転写ユニット（Ｕt）が前記転写ユニット使用位置に移動し且つ２次転写ロール（Ｔ2b）が転写位置に移動するのに連動させて前記転写前シートガイド（ＳＧ1）を前記シート搬入位置に移動させる。したがって、この場合も前記第２発明と同様の作用を奏する。
【００２６】
前記第２発明の画像形成装置において、要件（Ｂ08），（Ｂ010）に換えて下記の要件（Ｂ013）〜（Ｂ015）を備えることができる。
（Ｂ013）前記ベルトモジュール（ＢＭ）に移動可能に支持されるとともに、弾性力により前記非干渉位置に保持される前記転写前シートガイド（ＳＧ1）の前記ベルト側シートガイド（ＳＧ1a）、および前記２次転写ユニット（Ｕt）に設けられた前記転写前シートガイド（ＳＧ1）のロール側シートガイド（ＳＧ1b）であって２次転写ユニット（Ｕt）が転写ユニット退避位置に移動するのに連動して前記非干渉位置に移動し、且つ転写ユニット使用位置に移動するのに連動して前記シート搬入位置に移動する前記ロール側シートガイド（ＳＧ1b）、
（Ｂ014）前記２次転写ユニット（Ｕt）が前記転写ユニット使用位置に移動したときに前記ロール側シートガイド（ＳＧ1b）により前記シート搬入位置に移動する前記ベルト側シートガイド（ＳＧ1a）、
（Ｂ015）前記ロール側シートガイド（ＳＧ1b）およびベルト側シートガイド（ＳＧ1a）の間隔を所定間隔に保持する間隔保持部材（５６）。
【００２７】
前記要件（Ｂ013）〜（Ｂ015）を備えた場合、転写前シートガイド（ＳＧ1）の前記ベルト側シートガイド（ＳＧ1a）は、前記ベルトモジュール（ＢＭ）に移動可能に支持されるとともに、弾性力により前記非干渉位置に保持される。前記２次転写ユニット（Ｕt）に設けられた前記転写前シートガイド（ＳＧ1）のロール側シートガイド（ＳＧ1b）は、２次転写ユニット（Ｕt）が転写ユニット退避位置に移動するのに連動して前記非干渉位置に移動し、且つ転写ユニット使用位置に移動するのに連動して前記シート搬入位置に移動する。
前記ベルト側シートガイド（ＳＧ1a）は、前記２次転写ユニット（Ｕt）が前記転写ユニット使用位置に移動したときに前記ロール側シートガイド（ＳＧ1b）により前記シート搬入位置に移動する。間隔保持部材（５６）は、前記ロール側シートガイド（ＳＧ1b）およびベルト側シートガイド（ＳＧ1a）の間隔を所定間隔に保持する。このため、ベルト側シートガイド（ＳＧ1a）は、前記間隔保持部材（５６）により前記ロール側シートガイド（ＳＧ1b）に対して所定の間隔を保持されるとともに位置決めされる。
【００２８】
【実施例】
次に図面を参照しながら、本発明の実施の形態の例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００２９】
（実施例１）
図１は本発明の実施例１の画像形成装置の全体説明図である。図２は前記図１に示す要部である２次転写部分の拡大説明図で、２次転写ロールを有する２次転写ユニットＵtを下方の離隔位置に移動させ且つ２次転写ロールを支持する揺動レバーを下方に回動させた状態を示す図である。図３は前記図２の状態から２次転写ユニットＵtを上方に回動させた状態を示す図である。図４は前記図３の状態から２次転写ロールを支持する揺動レバーを上方に回動させた状態を示す図である。
図５は前記図４と同じ状態における揺動レバーの駆動装置および２次転写ロールの回転駆動装置を示す図である。図６は前記図４、図５と同じ状態における主要部材を示す図である。図７は前記図４〜図５と同じ状態における２次転写ロールクリーナＣＬ3を示す図である。
【００３０】
図１において、画像形成装置Ｕは本体Ｕaおよび本体Ｕaの上面のプラテンガラスＰＧ上に置かれた自動原稿搬送装置Ｕbを有している。
プラテンガラスＰＧ上面の原稿（図示せず）からの反射光は、露光光学系Ａを介して、ＣＣＤ（固体撮像素子）でＲ（赤）、Ｇ（緑）、Ｂ（青）の電気信号に変換される。ＩＰＳ（イメージプロセッシングシステム）は、前記ＲＧＢの電気信号をＫ（黒）、Ｙ（イエロー）、Ｍ（マゼンタ）、Ｃ（シアン）の画像データに変換して一時的に記憶し、前記画像データを所定のタイミングでレーザ駆動回路ＤLに出力する。
【００３１】
矢印Ｙa方向に回転移動する像担持体（像担持体ドラム）ＰＲの表面は、帯電領域Ｑ0において帯電器ＣRにより一様に帯電され、潜像書込位置Ｑ1、現像領域Ｑ2、および１次転写領域Ｑ3を順次通過する。
前記レーザ駆動回路ＤLにより駆動されるＲＯＳ（潜像形成装置）は、レーザビームＬにより前記潜像書込位置Ｑ1において露光走査し像担持体ＰＲ表面に静電潜像を形成する。フルカラー画像を形成する場合は、Ｋ（黒），Ｙ（イエロー），Ｍ（マゼンタ），Ｃ（シアン）の４色の画像に対応した静電潜像が順次形成され、モノクロ画像の場合はＫ（黒）画像に対応した静電潜像のみが形成される。
前記ロータリ式の現像装置Ｄは、回転軸Ｄaの回転とともに前記現像領域Ｑ2に順次回転移動するＫ（黒），Ｙ（イエロー），Ｍ（マゼンタ），Ｃ（シアン）の４色の現像器ＤK，ＤY，ＤM，ＤCを有している。前記各色の現像器ＤK，ＤY，ＤM，ＤCはそれぞれ、前記現像領域Ｑ2に現像剤を搬送する現像ロールＤＲを有しており、現像領域Ｑ2を通過する像担持体ＰＲ上の静電潜像を所定の色のトナー像Ｔnに現像する。
【００３２】
前記像担持体ＰＲ表面に現像されたトナー像Ｔnは前記１次転写領域Ｑ3において、１次転写ロールＴ1により中間転写ベルト（像担持ベルト）Ｂに１次転写される。なお、フルカラー画像の場合、像担持体ＰＲ表面に順次形成される各色のトナー像は中間転写ベルトＢ表面に順次重ねて１次転写される。１次転写後、像担持体ＰＲ表面は、残留トナーが像担持体クリーナＣＬ1によりクリーニングされ、除電器ＪRにより除電される。
【００３３】
前記像担持体ＰＲの下方には左右一対のスライドレールＳR，ＳRによりスライドフレームＦ1（２点鎖線で表示）が前後（紙面に垂直な方向）にスライド移動可能に支持されている。スライドフレームＦ1にはベルトモジュールＢＭのベルトフレームＦ2がヒンジ軸Ｆ3周りに回動して上下動可能に支持されている。なお、前記ベルトモジュールＢＭは上下に平行移動可能に支持することも可能である。
前記ベルトモジュールＢＭは、前記中間転写ベルトＢと、ベルト駆動ロールＲd、テンションロールＲt、ウォーキングロールＲw、アイドラロール（フリーロール）ＲfおよびバックアップロールＴ2aを含むベルト支持ロール（Ｒd，Ｒt，Ｒw，Ｒf，Ｔ2a）と、前記１次転写ロールＴ1とを有している。そして、前記中間転写ベルトＢは前記ベルト支持ロール（Ｒd，Ｒt，Ｒw，Ｒf，Ｔ2a）により矢印Ｙa方向に回転移動可能に支持されている。
【００３４】
前記ベルトモジュールＢＭは前記ヒンジ軸Ｆ3周りに回動して上下に移動し、中間転写ベルトＢが像担持体ＰＲに接触するベルト使用位置（図１に示す位置であり、画像形成動作を実行する位置）、およびベルトメンテナンス位置（中間転写ベルトＢが像担持体ＰＲから離れた位置であり、画像形成装置本体に対する出入等のメンテナンス作業を行う位置、図示せず））の間で上下移動可能である。
前記ベルトモジュールＢＭが前記ベルトメンテナンス位置に移動した状態では、前記スライドフレームＦ1およびこれに支持されたベルトモジュールＢＭを、前記像担持体ＰＲと摩擦接触させることなく、画像形成装置本体に対して出入させることができるように構成されている。
このような、スライドフレームＦ1を前後移動させる構成およびベルトモジュールＢＭを上下移動させる構成は、従来公知（例えば、特開平８−１７１２４８号公報参照）であり、従来公知の種々の構成を採用することが可能である。
【００３５】
前記バックアップロールＴ2aの下方には２次転写ユニットＵt（後で詳述）が配置されている。２次転写ユニットＵtの２次転写ロールＴ2bは、前記中間転写ベルトＢを挟んでバックアップロールＴ2aに離隔および圧接可能（離接可能）に配置されており、前記２次転写ロールＴ2bが中間転写ベルトＢと圧接する領域（ニップ）により２次転写領域Ｑ4が形成されている。また、前記バックアップロールＴ2aにはコンタクトロールＴ2cが当接しており、前記ロールＴ2a〜Ｔ2cにより２次転写器Ｔ2が構成されている。
前記コントクトロールＴ2cにはコントローラＣにより制御される電源回路Ｅから所定のタイミングでトナーの帯電極性と同極性の２次転写電圧が印加される。
【００３６】
前記中間転写ベルトＢの下方に配置された給紙トレイＴR1の記録シートＳは、ピックアップロールＲpにより取り出され、さばきロールＲsにより１枚ずつ分離されてからレジロールＲrに送られる。レジロールＲrは、前記中間転写ベルトＢ上に形成されたカラートナー像が２次転写領域Ｑ4に搬送されるのにタイミングを合わせて前記記録シートＳをレジ側シートガイドＳＧr、転写前シートガイドＳＧ1を介して２次転写領域Ｑ4に搬送する。
なお、レジ側シートガイドＳＧrはレジロールＲrとともに、画像形成装置本体により固定支持されている。
前記中間転写ベルトＢ上のカラートナー像は、前記２次転写領域Ｑ4を通過するする際に前記２次転写器Ｔ2により前記記録シートＳに転写される。なお、フルカラー画像の場合は中間転写ベルトＢ表面に重ねて１次転写されたトナー像が一括して記録シートＳに２次転写される。
【００３７】
２次転写後の前記中間転写ベルトＢは、ベルトクリーナＣＬ2によりクリーニングされる。なお、前記２次転写ロールＴ2bおよびベルトクリーナＣＬ2は、中間転写ベルトＢと離接自在（離隔および接触自在）に配設されており、カラー画像が形成される場合には最終色の未定着トナー像が中間転写ベルトＢに１次転写されるまで、中間転写ベルトＢから離隔している。
前記トナー像が２次転写された記録シートＳは、転写後シートガイドＳＧ2、シート搬送ベルトＢＨを通って定着装置Ｆの一対の定着用回転部材Ｆh，Ｆpが互いに圧接する領域により形成される定着領域Ｑ5に搬送される。前記定着領域Ｑ5では前記記録シートＳ上の前記トナー像が加熱定着され、加熱定着された記録シートＳは、排出ローラＲhから排紙トレイＴR2に排出される。
なお、前記符号Ｒp，Ｒs，Ｒr，ＳＧr，ＳＧ1，ＢＨ，Ｒhで示された要素から記録シート搬送装置ＳHが構成される。
【００３８】
（ベルトモジュールＢＭ）
次にベルトモジュールＢＭの中間転写ベルトＢ、バックアップロールＴ2a、前記ベルトフレームＦ2に固定されたガイドプレートＰＬ、および転写前シートガイドＳＧ1について詳細に説明する。
（中間転写ベルトＢ）
前記ベルトモジュールＢＭの前記中間転写ベルトＢは、ポリイミド、ポリカーボネイト、ポリエステル、ポリプロピレン、ポリエチレンテレフタレート等の樹脂又は各種ゴムにカーボンブラック等を適当量含有させて体積抵抗率が１０6〜１０15Ω・ｃｍとなるように形成され、その厚みは例えばに０.１ｍｍに設定される。また、中間転写ベルトＢの周長はバツクアップロールの整数倍としておく。
【００３９】
（バックアップロールＴ2a）
上記バックアップロールＴ2aは、金属芯材の外周に内側に発泡弾性体層と外側の導電層を被覆してなる２層構成のＥＰＤＭを用いた。外側の導電層はカーボンブラックを１５〜３５重量％分散した半導電性のＥＰＤＭ（エチレンプロピレンジエンゴム）発泡ゴムで、表面層の厚みは０.５〜１.５ｍｍに構成されている。表面抵抗率は１０7〜１０10Ω／□の抵抗領域に制御される。
【００４０】
（ガイドプレートＰＬおよび転写前シートガイドＳＧ1）
ベルトモジュールＢＭのベルトフレームＦ2には前記２次転写ロールＴ2bをバックアップロールＴ2aに向けてガイドするためのガイドプレートＰＬ（図２参照）が固定されている。前記ガイドプレートＰＬには２次転写ロールガイド溝１が形成されている。
図２において、ガイドプレートＰＬには、一対の下方突出部２，２が設けられており、その下端にはガイド支持ピン２a，２aが設けられている。
転写前シートガイドＳＧ1は、所定間隔離れて配置されたベルト側シートガイドＳＧ1aおよびロール側シートガイドＳＧ1bを有している。前記ベルト側シートガイドＳＧ1aは、一対の平行な連結用ガイド溝３a，３aが形成された突出部３，３を有している。
前記ガイド支持ピン２a，２aは、転写前シートガイドＳＧ1の前記一対の平行な連結用被ガイド溝３，３にスライド可能に嵌合している。前記転写前シートガイドＳＧ1は一対の引張ばね４，４により常時上方に引っ張られている。
【００４１】
前記ガイドプレートＰＬには回動レバー６がヒンジ軸６a周りに回動可能に支持されており、常時、引張ばね７により反時計方向の回転力を受けている。前記回動レバー６は前記スライドフレームＦ1に固定された位置決めピン（シートガイド位置調節部材）８により回動位置が位置決めされている。
そして、前記転写前シートガイドＳＧ1は前記回動レバー６の下端に当接する位置に保持されている。そして、その状態の転写前シートガイドＳＧ1は、転写前シートガイドＳＧ1の下流端からバックアップロールＴ2aに搬送される記録シートＳの先端が、バックアップロールＴ2aおよび２次転写ロールＴ2bの接触領域である２次転写領域Ｑ4（図１参照）に対して所定の位置に突入するように設定されている。
前記転写前シートガイドＳＧ1は、ベルトフレームＦ2（図１参照）に固定されたガイドプレートＰＬに支持されており、前記バックアップロールＴ2aもベルトフレームＦ1に支持されているので、前記バックアップロールＴ2aおよび２次転写ロールＴ2bの接触する２次転写領域Ｑ4に対して正確に位置決めすることができる。
【００４２】
（２次転写ユニットＵt）
次に２次転写ユニットＵtについて詳細に説明する。
図１において、２次転写ユニットＵtは、２次転写回動フレームＦt、前記２次転写回動フレームＦtに支持された２次転写ロールＴ2b、転写後シートガイドＳＧ2、およびシート搬送ベルトＢＨ等を有している。前記２次転写ユニットＵtの２次転写回動フレームＦtは、２次転写スライドフレームＦsによりヒンジ軸Ｆa 周りに回動可能に支持されており、図示しないハンドルの操作によりヒンジ軸Ｆa周りに回動される。また、前記２次転写スライドフレームＦsはスライドレールＳＲ（図１参照）により、画像形成装置本体に対して挿入された挿入位置と引き出された引出位置との間でスライド移動可能である。すなわち、２次転写回動フレームＦtを支持する２次転写スライドフレームＦsは画像形成装置本体に対して着脱可能である。
【００４３】
図２において、図２〜図７において、２次転写ユニットＵtは、前記ベルトモジュールＢＭと前記２次転写ユニットＵtとの間で記録シートＳがジャムした場合等には、２次転写回動フレームＦtをヒンジ軸Ｆa回りに反時計方向に回動させて、２次転写回動フレームＦtを下方に移動させることにより、ジャムした記録シートを容易に取り出せるように構成されている。
２次転写回動フレームＦtの前後両端部（Ｘ軸方向両端部）にはそれぞれ揺動軸１１回りに揺動可能な揺動レバー１２が支持されている。前記Ｘ軸方向両端部の揺動レバー１２，１２はそれぞれ前記２次転写回動フレームＦtとの間に設けた引張ばね１３により、前記揺動軸１１回りに常時、反時計方向の回転力を受けている。
前記揺動レバー１２，１２によりベアリング１４を介して２次転写ロールＴ2bの軸が回転自在に支持されている。２次転写ロールＴ2bの軸を回転自在に支持するベアリング１４のアウタレースは、前記揺動レバー１２，１２が前記揺動軸１１回りに揺動したときには、前記２次転写ロールガイド溝１（図２参照）に嵌合してガイドされるように配置されている。
前記揺動レバー１２，１２は前記引張ばね１３により常時反時計方向の回転力を受けているので、前記２次転写ロールＴ2bは前記バックアップロールＴ2aに押圧される力を常時受けている。
【００４４】
前記２次転写領域Ｑ4の前記記録シートＳの搬送方向下流側に配置された転写後シートガイドＳＧ2はその前後方向（Ｘ軸方向）の両端部がそれぞれ下流側揺動レバー１６に連結されており、前記前後両端部の下流側揺動レバー１６，１６は前記ベアリング１４のアウタレースに揺動自在に支持されている。
前記ベアリング１４のアウタレース回りに揺動自在な下流側揺動レバー１６は、前記２次転写回動フレームＦtとの間に設けられた引張ばね１７により常時時計方向の回転力を受けている。また、前記下流側揺動レバー１６はその下縁が、前記２次転写回動フレームＦtに固定されたピン１８によりスライド可能に支持されている。
したがって、前記揺動軸１１回りに揺動レバー１２が揺動して２次転写ロールＴ2bが前記バックアップロールＴ2aに対して離隔および接近した際、転写後シートガイドＳＧ2の上流端は前記２次転写ロールＴ2bとともに移動するので、２次転写ロールＴ2bと転写後シートガイドＳＧ2の上流端との位置関係はほとんど変化しない。
前記下流側揺動レバー１６は、前記２次転写ロールＴ2bが転写位置（バックアップロールＴ2aに接触する位置）に移動したときに前記２次転写領域Ｑ4を通過した記録シートＳが前記転写後シートガイドＳＧ2にガイドされるように、前記２次転写ロールＴ2bの移動に連動して前記転写後シートガイドＳＧ2を移動させる機能を有している。
【００４５】
図５、図６において、モータＭ1は前記２次転写ロールＴ2bを前記バックアップロールＴ2aに対して離隔および接近させるためのモータである。
モータＭ1を回転駆動すると、その出力軸に装着されたギヤ２１が回転し、その回転はギヤ２１に噛み合うギヤ２２に伝達され、ギヤ２２の回転はギヤ２２と同軸のギヤ２３に伝達される。ギヤ２３の回転はそれに噛み合うギヤ２４に伝達され、ギヤ２４の回転は、ギヤ２４の軸２４aに固着された偏心カム２５および２６に伝達される。
偏心カム２５のカム面は前記揺動レバー１２のカム係合面１２aに係合可能に配置されている。偏心カム２５が前記揺動レバー１２のカム係合面１２aに当接して揺動レバー１２を左方に押圧すると、揺動レバー１２は揺動軸１１回りに時計方向に揺動する。このとき、図５、図６に示すベアリング１４は前記２次転写ロールガイド溝１から離脱する方向（下方）に移動する。このとき、２次転写ロールＴ2bは前記バックアップロールＴ2aに当接する転写位置から離れて離隔位置に移動する。
【００４６】
図５〜図７において、前記２次転写ロールＴ2bをクリーニングするためのウレタンゴム製のクリーニングブレード２７を支持するブレードホルダ２８は、前記揺動軸１１回りに揺動自在に支持されている。ブレードホルダ２８は２次転写回動フレームＦtに固定されたばね係止ピン２９との間に設けられた引張ばね３１により、常時反時計方向の回転力を受けている。このとき、図５〜図７に示すように２次転写ロールＴ2bが転写位置に移動している状態では、クリーニングブレード２７は前記２次転写ロールＴ2b表面に当接する状態に保持されている。
前述したように、前記モータＭ1を回転駆動するとその回転力はギヤ２４に伝達され、ギヤ２４の軸２４aに固着された偏心カム２５に伝達される。前記ギヤ２４の軸には前記偏心カム２５とともに偏心カム２６が固着されている。
【００４７】
偏心カム２６のカム面は前記ブレードホルダ２８のカム係合面２８aに係合可能に配置されている。偏心カム２６が前記ブレードホルダ２８のカム係合面２８aに当接してブレードホルダ２８を左方に押圧すると、ブレードホルダ２８は揺動軸１１回りに時計方向に揺動する。このとき、クリーニングブレード２７は２次転写ロールＴ2bから離れる方向に移動すると同時に、前記図５、図６で説明したように、ベアリング１４は前記２次転写ロールガイド溝１から離脱する方向に移動する。
すなわち、前記ギヤ２４の軸２４aの回転に伴い、図５〜図７に示す偏心カム２５によりカム係合面１２aが係合し、且つ図５〜図７に示す偏心カム２６によりカム係合面２８aが係合する。そして、２次転写ロールＴ2bおよびクリーニングブレード２７は共に前記バックアップロールＴ2aから離れる方向に移動するが、このとき前記偏心カム２６によるカム係合面２８aの移動量を前記偏心カム２５によるカム係合面１２aの移動量よりも大きく設定して、クリーニングブレード２７を２次転写ロールＴ2bから離隔させるように構成されている。
【００４８】
前述のように、２次転写ロールＴ2bが転写位置（バックアップロールＴ2aに向けて押圧される位置）にあるときはクリーニングブレード２７により、２次転写ロールＴ2bのクリーニングを行う。しかしながら、２次転写ロールＴ2bが離隔位置（バックアップロールＴ2aから離れた位置）にあるときにはクリーニングブレード２７を、２次転写ロールＴ2bから離して、２次転写ロールＴ2bに余分なストレスを生じさせないように構成されている。このため、２次転写ロールＴ2b表面の凹み等が生じにくくなり、２次転写ロールＴ2bの寿命を延ばすことができる。
なお、前記クリーニングブレード２７により擦り取られるトナーは非常にわずかである。この擦り取られたわずかなトナーは、前記揺動レバー１２，１２に支持され且つ２次転写ロールＴ2bに隣接して配置された２次転写クリーナ容器ＣＬ3（図７参照）内部に蓄積される。
【００４９】
図５、図６において、揺動軸３６回りに揺動可能な揺動レバー３７は、２次転写回動フレームＦtに固定された係止ピン３８との間に設けた引張ばね３９により常時時計方向の回転力を受けている。
前記揺動軸３６回りに回転可能に同軸ギヤ４１および４２が支持されている。前記揺動軸３６の上端部に回転可能に支持されたギヤ４３は前記ギヤ４２と噛み合っている。
前記揺動レバー３７は前記引張ばね３９により常時時計方向の回転力を受けており、前記ギヤ４３は前記２次転写ロールＴ2bと一体的に回転するギヤ４４と噛み合っている。
モータＭ2を回転駆動すると、モータＭ2の出力軸に固着された出力ギヤ４６が回転し、その回転力はギヤ４６と噛み合うギヤ４１およびこのギヤ４１と同軸のギヤ４２に伝達され、ギヤ４２の回転力はギヤ４２と噛み合うギヤ４３に伝達される。ギヤ４３の回転力はギヤ４３と噛み合うギヤ４４と一体的に回転する２次転写ロールＴ2bに伝達される。
したがって、モータＭ2により２次転写ロールＴ2bを回転させることができる。
【００５０】
（２次転写ロールＴ2b）
２次転写ロールＴ2bは芯金とこの芯金の周囲に固着されたカーボンブラック分散発泡ＥＰＤＭ材料からなるコア層にスキン層を介して５〜２０μｍの厚みのカーボンブラック分散のフッ素樹脂系材料でコーテイングし、芯金とコーテイング層表面間を１層構造と仮定して測定した芯金およびコーティング層表面間の体積抵抗率が１０4Ωｃｍないし１０6Ωｃｍであり、ロール硬度はアスカＣ硬度で２０から４５である。
前記２次転写ユニットＵtは、前記符号Ｆa，Ｆt，１１〜４４，Ｔ2b，Ｍ1，Ｍ2等で示された要素により構成されている。
【００５１】
（実施例１の作用）
２次転写回動フレームＦtを図２の状態（ヒンジ軸Ｆa周りに下方に回動した状態）において、前記ベルトモジュールＢＭをヒンジ軸Ｆ3（図１参照）周りに回動させてスライドフレームＦ1（図１参照）に対して下がった状態とする。その状態ではベルトモジュールＢＭおよびスライドフレームＦ1は、前記像担持体ＰＲまたは２次転写ユニットＵtと干渉することなく、画像形成装置本体に対して出入可能である。
図２は、前記２次転写スライドフレームＦsに支持された２次転写ユニットＵtおよび前記スライドフレームＦ1に支持されたベルトモジュールＢＭを画像形成装置本体に装着し、且つ、前記ベルトモジュールＢＭがベルトメンテナンス位置（中間転写ベルトＢが像担持体ＰＲから離隔した位置）に保持され、２次転写ユニットＵtがヒンジ軸Ｆa周りに下方に回動した転写ユニット退避位置に保持された状態を示している。
【００５２】
図２の状態では、スライドフレームＦ1に対してベルトモジュールＢＭが下方に回動したベルトメンテナンス位置にあるので、スライドフレームＦ1の位置決めピン８により前記回動レバー６は時計方向に回動して、回動レバー６下端は上昇した位置に移動している。
なお、このとき、２次転写ロールＴ2bを支持する揺動レバー１２は前記偏心カム２５により２次転写ロールＴ2bがバックアップロールＴ2aから離れる待機位置に保持されている。
【００５３】
図２の状態において、中間転写ベルトＢが像担持体ＰＲに接触するベルト使用位置にベルトモジュールＢＭ（図１参照）を上昇させ、且つ、前記２次転写回動フレームＦtをヒンジ軸Ｆa周りに回動させて前記２次転写ユニットＵtを転写ユニット使用位置に上昇させた状態が図３に示す状態である。
前記ベルトモジュールＢＭをスライドフレームＦ1に対し、回動させて上昇させたベルト使用位置では、前記回動レバー６は前記引張ばね７により半時計方向に回動して、回動レバー６の下端により前記転写前シートガイドＳＧ1が図３に示すシート搬入位置に保持される。このシート搬入位置では、転写前シートガイドＳＧ1は前記バックアップロールＴ2aに対して所定の位置に正確に位置決めされる。
【００５４】
したがって、前記２次転写領域Ｑ4の上流側に配置され且つ前記シート搬入位置に保持された転写前シートガイドＳＧ1は、前記２次転写領域Ｑ4に搬入される前記記録シートＳを前記２次転写ロールＴ2b表面の所定部分に突入させることができる。
したがって、記録シートＳを２次転写領域Ｑ4の適切な位置に容易に搬入することができるので、良好な転写を行うことができる。
【００５５】
前記図３の状態において、前記モータＭ1（図５参照）により偏心カム２５および２６を、回転させて揺動レバー１２およびブレードホルダ２８のカム係合面１２aおよび２８aから離隔させると、揺動レバー１２およびブレードホルダ２８が図３の状態から揺動軸１１回りに反時計周りに回転して図４の状態となる。
【００５６】
図４〜図７において、前記モータＭ1の回転により回転されるギヤ２４の軸２４aと一体的に回転する偏心カム２５および２６は、カム係合面１２aおよび２８aから離れた位置にある。この状態では、揺動レバー１２は引張ばね１３により揺動軸１１回りに揺動して、揺動レバー１２に支持された２次転写ロールＴ2bは転写位置（バックアップロールＴ2aに押圧される位置、図４参照）に保持されている。
前記図５〜図７に示す位置から前記モータＭ1により前記ギヤ２４の軸２４aを回転させて、偏心カム２５および２６を、カム係合面１２aおよび２８aに当接させると、前記揺動レバー１２は揺動軸１１回りに時計方向に揺動して、２次転写ロールＴ2bは待機位置（バックアップロールＴ2aから離れた位置、図３参照）に保持される。このとき、前記偏心カム２６により、ブレードホルダ２８も時計方向に揺動し、前記クリーニングブレード２７が２次転写ロールＴ2bから離れる。
【００５７】
前記画像形成装置の実施例によりフルカラー画像を形成する場合には、２次転写ロールＴ2bを待機位置に移動させた状態で、前記ＲＯＳにより像担持体ＰＲ上に、順次、Ｋ（黒）、Ｙ（イエロー）、Ｍ（マゼンタ）およびＣ（シアン）の潜像を形成する。前記像担持体ＰＲ上の静電潜像は順次Ｋ，Ｙ，ＭおよびＣの各現像器Ｇk，Ｇy，ＧmおよびＧcにより各色のトナー像に現像される。
前記像担持体ＰＲ上に順次形成される各色のトナー像は、１次転写領域Ｑ3で１次転写器Ｔ1により順次前記中間転写ベルトＢ上に重ねて転写される。
【００５８】
図４、図５において、前記４色のトナー像が重ねて転写された中間転写ベルトＢが２次転写領域Ｑ4に接近したとき、前記モータＭ1によりギヤ２４の軸２４aを回転させて前記偏心カム２５および２６を、カム係合面１２aおよび２８aから離れさせる。このとき、前記引張ばね１３および３１により、揺動レバー１２およびブレードホルダ２８は反時計方向に揺動して、２次転写ロールＴ2bが転写位置に移動するとともに前記クリーニングブレード２７が２次転写ロールＴ2bに当接する。
このとき、２次転写ロールＴ2bのベアリング１４回りに揺動する下流側揺動レバー１６に支持された転写後シートガイドＳＧ2も移動する。
このとき、前記ロール側シートガイドＳＧ1aの下流端（２次転写ロールＴ2bに近接した端部）と２次転写ロールＴ2bとの位置関係はほとんど変化しない。
【００５９】
前記２次転写ロールＴ2bのベアリング１４回りに揺動する下流側揺動レバー（ロール・ガイド連結装置）１６は、前記２次転写ロールＴ2bの転写位置および待機位置間の移動に連動して前記転写後シートガイドＳＧ2を移動させる。
このように、２次転写ロールＴ2bの移動に連動して転写後シートガイドＳＧ2を移動させることにより転写位置に有る２次転写ロールＴ2bと前記転写後シートガイドＳＧ2との位置関係を所定の関係に容易に保持することができる。
このため、転写後シートガイドＳＧ2の上流端（２次転写ロールＴ2bに近接する端部）を、２次転写領域Ｑ4を通過した記録シートＳの中間転写ベルトＢからの剥離に最も適した位置に容易に保持することができる。
また、２次転写動作以外のときは２次転写ロールＴ2bを中間転写ベルトＢに接触しない待機位置に保持することにより中間転写ベルトＢおよび２次転写ロールＴ2bの圧接、摩擦接触等による変形、磨耗および損傷等を防止して、寿命を長くすることができる。
【００６０】
図８は、実施例１のベルトモジュールＢＭおよび２次転写ユニットＵtを、画像形成動作時からメンテナンス時の状態に移動させるときの転写前シートガイドＳＧ1の位置の変化を説明する図で、図８Ａは画像形成動作時の状態を示す図、図８Ｂは前記揺動レバー１２により２次転写ロールＴ2bを転写位置から待機位置に移動させ、且つ２次転写ユニットＵtをヒンジ軸Ｆa周りに下方に回動させて転写ユニット退避位置に移動させた状態を示す図、図８ＣはベルトモジュールＢＭをヒンジ軸Ｆ3（図１参照）周りに下方に回動させてメンテナンス位置に移動させた状態を示す図である。
図８Ｂの状態から図８Ｃの状態に移ったときの転写前シートガイドＳＧ1の姿勢の変化から分かるように、ベルトモジュールＢＭをメンテナンス位置に回動させたとき（中間転写ベルトＢを像担持体ＰＲから離隔させたとき）、回動レバー６が回動してその下端が上昇する。そのとき、転写前シートガイドＳＧ1の上流端が上方に回動して、レジ側シートガイドＳＧrと干渉しない位置に移動する。この図８Ｃの状態ではベルトモジュールＢＭを支持するスライドフレームＦ1を、前記レジ側シートガイドＳＧrと干渉することなく、画像形成装置本体に対して出入させることができる。
【００６１】
（実施例２）
図９は、本発明の実施例２のベルトモジュールＢＭおよび２次転写ユニットＵtを画像形成動作時からメンテナンス時の状態に移動させるときの転写前シートガイドＳＧ1の位置の変化を説明する図で、図９Ａは画像形成動作時の状態を示す図、図９Ｂは前記揺動レバー１２により２次転写ロールＴ2bを転写位置から待機位置に移動させ、且つ２次転写ユニットＵtをヒンジ軸Ｆa（図１、図２参照）周りに下方回動させて転写ユニット退避位置に移動させた状態を示す図、図９ＣはベルトモジュールＢＭをヒンジ軸Ｆ3（図１参照）周りに下方に回動させてベルトメンテナンス位置に移動させた状態を示す図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００６２】
図９において、転写前シートガイドＳＧ1は、連結レバー５１により、前記ベルトモジュールＢＭのガイドプレートＰＬにヒンジ軸５１a周りに回動可能に支持されている。また、前記ガイドプレートＰＬにはストッパ５２が設けられており、ストッパ５２は前記連結レバー５１の回転位置を規制する。転写前シートガイドＳＧ1の上流端は引張ばね４により上方に引っ張られている。また、図９Ａの状態では転写前シートガイドＳＧ1は、揺動レバー１２の位置決めピン（シートガイド位置調節部材）１２bにより先端部の位置決めが行われている。
この図９Ａに示す状態転写前シートガイドＳＧ1がシート搬入位置に保持された状態では、前記位置決めピン１２bにより位置決めされた転写前シートガイドＳＧ1は、その下流端から送り出される記録シートＳの先端が、バックアップロールＴ2aおよび２次転写ロールＴ2bの接触領域である２次転写領域Ｑ4に対して所定の位置に突入するように設定されている。
前記転写前シートガイドＳＧ1および前記バックアップロールＴ2aはベルトフレームＦ1に支持され、前記２次転写ロールＴ2bおよび位置決めピン１２bは揺動レバー１２に支持されているので、前記転写前シートガイドＳＧ1は、前記バックアップロールＴ2aおよび２次転写ロールＴ2bの接触する２次転写領域Ｑ4に対して正確に位置決めすることができる。
【００６３】
図９Ａの状態から図９Ｂの状態に移ったときの転写前シートガイドＳＧ1の姿勢の変化から分かるように、２次転写ユニットＵtの揺動アーム１２が待機位置に回動し且つ２次転写ユニットＵtがヒンジ軸Ｆa（図１、図２参照）周りに回動して転写ユニット退避位置に移動したとき、転写前シートガイドＳＧ1は、引張ばね４により前記連結レバー５１と共にヒンジ軸５１a周りに時計方向に回動し、前記レジ側シートガイドＳＧrから上方に離れる。図９Ｂにおいて、転写前シートガイドＳＧ1は、ストッパ５２により回動位置が規制されており、また、転写前シートガイドＳＧ1の上流端はレジ側シートガイドＳＧrから上方に離れた位置に移動している。
図９Ｂの状態において、ベルトモジュールＢＭを下方のメンテナンス位置に回動させたとき（中間転写ベルトＢを像担持体ＰＲから離隔させたとき）、ベルトモジュールＢＭおよび転写前シートガイドＳＧ1は下方に移動して図９Ｃの状態となる。この場合、前記図９Ｂにおいて前記転写前シートガイドＳＧ1の上流端が前記レジ側シートガイドＳＧrから上方に離れた位置に移動していたので、図９Ｃの状態になっても、転写前シートガイドＳＧ1の上流端は、レジ側シートガイドＳＧrと干渉しない位置（非干渉位置）に保持される。
この図９Ｃの状態ではベルトモジュールＢＭを支持するスライドフレームＦ1（図１参照）を、前記レジ側シートガイドＳＧrと干渉することなく、画像形成装置本体に対して出入させることができる。
【００６４】
（実施例３）
図１０は、本発明の実施例３のベルトモジュールＢＭおよび２次転写ユニットＵtを画像形成動作時からメンテナンス時の状態に移動させるときの転写前シートガイドＳＧ1の位置の変化を説明する図で、図１０Ａは画像形成動作時の状態を示す図、図１０Ｂは前記揺動レバー１２により２次転写ロールＴ2bを転写位置から待機位置に移動させた状態を示す図、図１０Ｃは２次転写ユニットＵtを転写ユニット退避位置に移動させ且つベルトモジュールＢＭをベルトメンテナンス位置に移動させた状態を示す図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
【００６５】
図１０において、転写前シートガイドＳＧ1は、２次転写ユニットＵtの２次転写回動フレームＦtにヒンジ軸５３a周りに回動可能に支持されている。転写前シートガイドＳＧ1は２次転写回動フレームＦtに連結された引張ばね５４により下方に引っ張られている。また、図１０Ａの状態では転写前シートガイドＳＧ1は、揺動レバー１２の位置決めピン（シートガイド位置調節部材）１２cにより先端部の位置決めが行われて、シート搬入位置に保持されている。
この図１０Ａに示す状態（転写前シートガイドＳＧ1が搬入位置に保持されている状態）では、前記位置決めピン１２cにより位置決めされた転写前シートガイドＳＧ1は、その下流端から送り出される記録シートＳの先端が、バックアップロールＴ2aおよび２次転写ロールＴ2bの接触領域である２次転写領域Ｑ4に対して所定の位置に突入するように設定されている。
前記位置決めピン１２cおよび前記２次転写ロールＴ2bは揺動レバー１２に支持されているので、前記転写前シートガイドＳＧ1は、前記２次転写ロールＴ2bがバックアップロールＴ2aに接触する２次転写領域Ｑ4に対して正確に位置決めすることができる。
【００６６】
図１０Ａの状態から図１０Ｂの状態に移ったときの転写前シートガイドＳＧ1の姿勢の変化から分かるように、２次転写ユニットＵtの揺動アーム１２が待機位置に回動したとき、転写前シートガイドＳＧ1は、引張ばね５４により前記ヒンジ軸５３a周りに時計方向に回動し、前記レジ側シートガイドＳＧrから上方に離れる。
図１０Ｂにおいて、転写前シートガイドＳＧ1は、位置決めピン１２cにより回動位置が規制されており、また、転写前シートガイドＳＧ1の上流端はレジ側シートガイドＳＧrから上方に離れた位置に移動している。
図１０Ｂの状態において、２次転写ユニットＵtをヒンジ軸Ｆa（図１、図２参照）周りに下方に回動して転写ユニット退避位置に移動させたとき、前記転写前シートガイドＳＧ1が下降するが、前記転写前シートガイドＳＧ1の上流端が前記レジ側シートガイドＳＧrから上方に離れた位置に移動していたので、図１０Ｃの状態になっても、転写前シートガイドＳＧ1の上流端は、レジ側シートガイドＳＧrと干渉しない位置（非干渉位置）に保持される。
【００６７】
図１０Ｃに示すように、ベルトモジュールＢＭを下方に回動させてメンテナンス位置に移動させたとき（中間転写ベルトＢを像担持体ＰＲから離隔させたとき）、ベルトモジュールＢＭは下方に移動するが、転写前シートガイドＳＧ1が２次転写ユニットＵtと共に下方に移動しているため、干渉しない。
この図１０Ｃの状態ではベルトモジュールＢＭを支持するスライドフレームＦ1を、前記レジ側シートガイドＳＧrと干渉することなく、画像形成装置本体に対して出入させることができる。
【００６８】
（実施例４）
図１１は、本発明の実施例４のベルトモジュールＢＭおよび２次転写ユニットＵtを画像形成動作時からメンテナンス時の状態に移動させるときの転写前シートガイドＳＧ1の位置の変化を説明する図で、図１１Ａは画像形成動作時の状態を示す図、図１１Ｂは前記揺動レバー１２により２次転写ロールＴ2bを転写位置から待機位置に移動させ、且つ２次転写ユニットＵtをヒンジ軸Ｆa周りに回動させて転写ユニット退避位置に移動させた状態を示す図、図１１ＣはベルトモジュールＢＭをヒンジ軸Ｆ3（図１参照）周りに下方に回動させてメンテナンス位置に移動させた状態を示す図である。
なお、この実施例４の説明において、前記実施例１の構成要素に対応する構成要素には同一の符号を付して、その詳細な説明を省略する。
この実施例４は、下記の点で前記実施例１と相違しているが、他の点では前記実施例１と同様に構成されている。
【００６９】
図１１に示す実施例４では転写前シートガイドＳＧ1は、ベルト側シートガイドＳＧ1aおよびロール側シートガイドＳＧ1bが分離して構成されている。
図１１において、転写前シートガイドＳＧ1のベルト側シートガイドＳＧ1aは、連結レバー５１により、前記ベルトモジュールＢＭのガイドプレートＰＬにヒンジ軸５１a周りに回動可能に支持されている。また、前記ガイドプレートＰＬにはストッパ５２が設けられており、連結レバー５１の回動位置を規制している。ベルト側シートガイドＳＧ1aの上流端は引張ばね４により上方に引っ張られている。
前記ロール側シートガイドＳＧ1bは２次転写ユニットＵtの揺動レバー１２に固定されており、下流部上面に小さく突出する間隔保持部材５６が設けられている。図１１Ａの状態ではロール側シートガイドＳＧ1bの前記間隔保持部材５６が前記ベルト側シートガイドＳＧ1aの下面に当接している。すなわち、ベルト側シートガイドＳＧ1aは、２次転写ユニットＵtの揺動レバー１２に固定されたロール側シートガイドＳＧ1bの間隔保持部材５６により前記ロール側シートガイドＳＧ1bに対して所定の間隔を保持されるとともに先端部の位置決めが行われている。
【００７０】
この図１１Ａに示す状態（転写前シートガイドＳＧ1がシート搬入位置に保持されている状態）では、前記ベルト側シートガイドＳＧ1aおよびロール側シートガイドＳＧ1bにより構成される転写前シートガイドＳＧ1は、その下流端から送り出される記録シートＳの先端が、バックアップロールＴ2aおよび２次転写ロールＴ2bの接触領域である２次転写領域Ｑ4に対して所定の位置に突入するように設定されている。
前記ベルト側シートガイドＳＧ1aおよび前記バックアップロールＴ2aはベルトフレームＦ1に支持され、前記２次転写ロールＴ2bおよびロール側シートガイドＳＧ1bは揺動レバー１２に支持されているので、前記ベルト側シートガイドＳＧ1aおよびロール側シートガイドＳＧ1bにより構成される転写前シートガイドＳＧ1は、前記バックアップロールＴ2aおよび２次転写ロールＴ2bの接触する２次転写領域Ｑ4に対して正確に位置決めすることができる。
【００７１】
図１１Ａの状態から図１１Ｂの状態に移ったときのベルト側シートガイドＳＧ1aおよびロール側シートガイドＳＧ1bの位置の変化から分かるように、２次転写ユニットＵtの揺動アーム１２が待機位置に回動し且つ２次転写ユニットＵtがヒンジ軸Ｆa（図１、図２参照）周りに下方に回動して転写ユニット退避位置に移動したとき、ロール側シートガイドＳＧ1bは揺動レバー１２と共に下方に移動し、ベルト側シートガイドＳＧ1aは、引張ばね４により前記ヒンジ軸５１a周りに時計方向に回動し、前記レジ側シートガイドＳＧrから離れる。
図１１Ｂにおいて、ベルト側シートガイドＳＧ1aは、ストッパ５２により回動位置が規制されており、その上流端はレジ側シートガイドＳＧrから上方に離れた位置に移動している。
図１１Ｂの状態において、ベルトモジュールＢＭを下方に回動させてベルトメンテナンス位置に移動させたとき（中間転写ベルトＢを像担持体ＰＲから離隔させたとき）、ベルトモジュールＢＭおよび転写前シートガイドＳＧ1は下方に移動して図１１Ｃの状態となる。この場合、前記図１１Ｂにおいて前記転写前シートガイドＳＧ1の上流端が前記レジ側シートガイドＳＧrから上方に離れた位置に移動していたので、図１１Ｃの状態になっても、転写前シートガイドＳＧ1の上流端は、レジ側シートガイドＳＧrと干渉しない位置に保持される。
この図１１Ｃの状態ではベルトモジュールＢＭを支持するスライドフレームＦ1（図１参照）を、前記レジ側シートガイドＳＧrと干渉することなく、画像形成装置本体に対して出入させることができる。
【００７２】
（実施例５）
図１２は本発明の実施例５の画像形成装置の全体説明図である。
なお、この実施例５の説明において、前記実施例１の構成要素に対応する構成要素には同一の符号を付して、その詳細な説明を省略する。
この実施例５は、下記の点で前記実施例１と相違しているが、他の点では前記実施例１と同様に構成されている。
図１２に示す画像形成装置はタンデム型のカラー画像形成装置であり、４個の像担持体ＰＲk〜ＰＲcを備えており、それに応じて、４個の潜像形成装置ＲＯＳk〜ＲＯＳc、４個の現像器Ｄk〜Ｄc、４個の１次転写器Ｔ1k〜Ｔ1c、４個の像担持体クリーナＣＬ1、４個の帯電器ＣＲk〜ＣＲcを有している。なお、前記各像担持体ＰＲを帯電する前に除電する除電器は省略されている。
【００７３】
図１２において、２次転写器Ｔ2、２次転写ユニットＵtおよび前記２次転写ユニットＵtを２次転写スライドフレームＦsの構成は前記実施例１と同様である。すなわち、前記実施例１の画像形成装置がロータリー式の現像装置と１個の像担持体ＰＲを使用していたのに対し、実施例５の画像形成装置はタンデム型の画像形成装置である点で相違しているが他の構成では同一である。
実施例５の転写前シートガイドＳＧ1は前記実施例１と同様の作用を奏する。
【００７４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）本発明は、デジタル複写機以外に、アナログ複写機、プリンタ、ファクシミリ等に適用することが可能である。
（Ｈ02）ベルトモジュールＢＭのベルトフレームＦ2には前記２次転写ロールＴ2bをバックアップロールＴ2aに向けてガイドするためのガイドプレートＰＬ（図２参照）を設け、前記ガイドプレートＰＬに２次転写ロールガイド溝１を形成する代わりに、前記２次転写ロールＴ2bがバックアップロールＴ2aに向けてガイドされるガイドプレートを揺動レバー１２に設け、前記ガイドプレートＰＬにバックアップロールＴ2aをガイドするガイド溝を形成することが可能である。
（Ｈ03）本発明は、中間転写ベルトの代わりに感光体ベルトを有する画像形成装置にも適用可能である。
【００７５】
【発明の効果】
前述の本発明の画像形成装置は、下記の効果を奏することができる。
（Ｅ01）転写前シートガイドを、画像形成動作時には転写領域に記録シートを突入させる所定の位置に移動させるとともに、前記ベルトモジュールの画像形成装置本体への出入移動時には、前記ベルトモジュールまたは転写ユニットの移動に連動させて他の部材と干渉しない位置に自動的に移動させることができる。
（Ｅ02）転写領域において離隔位置および転写位置の間で移動する転写ロールを使用した画像形成装置において、前記転写位置に移動したときの転写ロールに対する下流側シートガイドの位置出しが容易になる。また前記位置を安定して保持することができる。
【図面の簡単な説明】
【図１】  図１は本発明の実施例１の画像形成装置の全体説明図である。
【図２】  図２は前記図１に示す要部である２次転写部分の拡大説明図で、２次転写ロールを有する２次転写ユニットＵtを下方の離隔位置に移動させ且つ２次転写ロールを支持する揺動レバーを下方に回動させた状態を示す図である。
【図３】  図３は前記図２の状態から２次転写ユニットＵtを上方に回動させた状態を示す図である。
【図４】  図４は前記図３の状態から２次転写ロールを支持する揺動レバーを上方に回動させた状態を示す図である。
【図５】  図５は前記図４と同じ状態における揺動レバーの駆動装置および２次転写ロールの回転駆動装置を示す図である。
【図６】  図６は前記図４、図５と同じ状態における主要部材を示す図である。
【図７】  図７は前記図４〜図５と同じ状態における２次転写ロールクリーナＣＬ3を示す図である。
【図８】  図８は、実施例１のベルトモジュールＢＭおよび２次転写ユニットＵtを、画像形成動作時からメンテナンス時の状態に移動させるときの転写前シートガイドＳＧ1の位置の変化を説明する図で、図８Ａは画像形成動作時の状態を示す図、図８Ｂは前記揺動レバー１２により２次転写ロールＴ2bを転写位置から待機位置に移動させ、且つ２次転写ユニットＵtをヒンジ軸Ｆa周りに下方に回動させて転写ユニット退避位置に移動させた状態を示す図、図８ＣはベルトモジュールＢＭをヒンジ軸Ｆ3（図１参照）周りに下方に回動させてメンテナンス位置に移動させた状態を示す図である。
【図９】  図９は、本発明の実施例２のベルトモジュールＢＭおよび２次転写ユニットＵtを画像形成動作時からメンテナンス時の状態に移動させるときの転写前シートガイドＳＧ1の位置の変化を説明する図で、図９Ａは画像形成動作時の状態を示す図、図９Ｂは前記揺動レバー１２により２次転写ロールＴ2bを転写位置から待機位置に移動させ、且つ２次転写ユニットＵtをヒンジ軸Ｆa周りに下方回動させて転写ユニット退避位置に移動させた状態を示す図、図９ＣはベルトモジュールＢＭをヒンジ軸Ｆ3（図１参照）周りに下方に回動させてベルトメンテナンス位置に移動させた状態を示す図である。
【図１０】  図１０は、本発明の実施例３のベルトモジュールＢＭおよび２次転写ユニットＵtを画像形成動作時からメンテナンス時の状態に移動させるときの転写前シートガイドＳＧ1の位置の変化を説明する図で、図１０Ａは画像形成動作時の状態を示す図、図１０Ｂは前記揺動レバー１２により２次転写ロールＴ2bを転写位置から待機位置に移動させた状態を示す図、図１０Ｃは２次転写ユニットＵtを転写ユニット退避位置に移動させ且つベルトモジュールＢＭをベルトメンテナンス位置に移動させた状態を示す図である。
【図１１】  図１１は、本発明の実施例４のベルトモジュールＢＭおよび２次転写ユニットＵtを画像形成動作時からメンテナンス時の状態に移動させるときの転写前シートガイドＳＧ1の位置の変化を説明する図で、図１１Ａは画像形成動作時の状態を示す図、図１１Ｂは前記揺動レバー１２により２次転写ロールＴ2bを転写位置から待機位置に移動させ、且つ２次転写ユニットＵtをヒンジ軸Ｆa周りに回動させて転写ユニット退避位置に移動させた状態を示す図、図１１ＣはベルトモジュールＢＭをヒンジ軸Ｆ3（図１参照）周りに下方に回動させてメンテナンス位置に移動させた状態を示す図である。
【図１２】  図１２は本発明の実施例５の画像形成装置の全体説明図である。
【符号の説明】
Ｂ…中間転写ベルト（像担持ベルト）、ＢＭ…ベルトモジュール、ＣR…帯電器、ＤＲ…現像ロール、Ｆ…定着装置、Ｆ1…スライドフレーム、Ｆ2…ベルトフレーム、（Ｆh，Ｆp）…一対の定着用回転部材、Ｒd…ベルト駆動ロール、（Ｒd，Ｒt，Ｒw，Ｒf，Ｔ2a）…複数のベルト支持ロール、Ｓ…記録シート、ＰＲ…像担持体、Ｒt…テンションロール、Ｑ0…帯電領域、Ｑ1…潜像書込位置、Ｑ2…現像領域、Ｑ3…１次転写領域、Ｑ4…２次転写領域（転写領域）、
Ｑ5…定着領域、ＳＧ1…転写前シートガイド、ＳH…記録シート搬送装置、
ＳＧ1a…ベルト側シートガイド、ＳＧ1b…ロール側シートガイド、Ｔ2a…バックアップロール、Ｔ2b…２次転写ロール（転写ロール）、ＴR2…排紙トレイ、Ｕt…２次転写ユニット（転写ユニット）、８，１２b，１２c…シートガイド位置調節部材、５６…間隔保持部材。
【図１】
0004075160.tif 000002
【図２】
0004075160.tif 000003
【図３】
0004075160.tif 000004
【図４】
0004075160.tif 000005
【図５】
0004075160.tif 000006
【図６】
0004075160.tif 000007
【図７】
0004075160.tif 000008
【図８】
0004075160.tif 000009
【図９】
0004075160.tif 000010
【図１０】
0004075160.tif 000011
【図１１】
0004075160.tif 000012
【図１２】
0004075160.tif 000013